(57)【要約】  指示情報送信方法、指示情報受信方法、デバイス、およびシステムが提供され、ワイヤレス通信技術の分野に関する。この方法は、基地局によって、第1の指示情報を生成し、第1の指示情報を端末デバイスに送信するステップと、端末デバイスによって、第1の指示情報を受信し、第1の指示情報に基づいて、第1のチャネルの電力制御方式を決定するステップとを含み、第1の指示情報は、第1のチャネルの電力制御方式を示すために使用され、第1のチャネルの電力制御方式は、電力制御方式セット内の1つの電力制御方式であり、電力制御方式セットは、少なくとも1つの電力制御方式を含む。ネットワークデバイスは、従来技術と比較して、第1の指示情報を使用することによって端末デバイスに第1のチャネルの電力制御方式を示すことができるので、端末デバイスは、端末デバイスが現在のネットワークにより良く適応できるように、より柔軟な方式で信号の送信電力を決定する。
2020520608.tif 000002
【特許請求の範囲】
【請求項１】
ネットワークデバイスによって、第1の指示情報を生成するステップであり、前記第1の指示情報が、第1のチャネルの電力制御方式を示すために使用され、前記第1のチャネルの前記電力制御方式が、電力制御方式セット内の1つの電力制御方式であり、前記電力制御方式セットが、以下の電力制御方式、すなわち、
前記第1のチャネル上の信号の送信電力が第1のパラメータに基づいて端末デバイスによって決定される、
第1の送信フォーマットを満たし前記第1のチャネル上にある信号の送信電力が第2のパラメータに基づいて端末デバイスによって決定され、前記第1の送信フォーマットを満たさず前記第1のチャネル上にある信号の送信電力が前記端末デバイスによって決定され、前記第1の送信フォーマットを満たさず前記第1のチャネル上にある前記信号の前記送信電力が前記端末デバイスの最大送信電力である、および
前記第1のチャネル上の信号の送信電力が、前記端末デバイスにおいてあらかじめ定義されたルールに従って端末デバイスによって決定される
のうちの少なくとも1つを含む、ステップと、
前記ネットワークデバイスによって、前記第1の指示情報を前記端末デバイスに送信するステップと
を含む指示情報送信方法。
【請求項２】
前記ネットワークデバイスによって、前記第1のチャネルのものであり前記第1の指示情報によって示される前記電力制御方式に基づいて前記端末デバイスによって送信された信号を受信するステップ
をさらに含む、請求項1に記載の方法。
【請求項３】
前記第1の指示情報が、システム情報ブロック2-狭帯域SIB2-NB上で運ばれる、請求項1または2に記載の方法。
【請求項４】
前記第1のチャネル上の信号の送信電力が第1のパラメータに基づいて端末デバイスによって決定されることが、
前記第1のチャネルが狭帯域物理ランダムアクセスチャネルNPRACHであり、前記第1のパラメータがPLc、PCMAX,c(i)、およびPPRTを含み、前記NPRACH上の信号の送信電力PNPRACHが、以下の式
【数１】
2020520608.tif 000007
を満たし、式中、
PPRTは、プリアンブル受信ターゲット電力を表し、PCMAX,c(i)は、前記端末デバイスの前記最大送信電力を表し、具体的には、セルc内のサブフレームiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルが狭帯域物理アップリンク共有チャネルNPUSCHであり、前記第1のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、以下の式
【数２】
2020520608.tif 000008
を満たし、式中、
PNPUSCH,c(i)は、タイムスロットi内の前記NPUSCH上の前記信号の前記送信電力を表し、PCMAX,c(i)は、前記端末デバイスの前記最大送信電力を表し、具体的には、セルc内のサブフレームiで、前記物理アップリンク共有チャネル上で前記信号を送信するために前記端末デバイスによって使用される最大送信電力を表すために使用され、MNPUSCH,c(i)は、送信帯域幅パラメータを表し、具体的には、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、具体的には、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項1から3のいずれか一項に記載の方法。
【請求項５】
第1の送信フォーマットを満たし前記第1のチャネル上にある信号の送信電力が、第2のパラメータに基づいて端末デバイスによって決定されることが、
前記第1のチャネルがNPRACHであり、前記第2のパラメータがPLc、PCMAX,c(i)、およびPPRTを含み、前記NPRACH上の信号の送信電力PNPRACHが、以下の式
【数３】
2020520608.tif 000009
を満たし、式中、
PPRTは、プリアンブル受信ターゲット電力を表し、PCMAX,c(i)は、前記端末デバイスの前記最大送信電力を表し、具体的には、セルc内のサブフレームiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルがNPUSCHであり、前記第2のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、以下の式
【数４】
2020520608.tif 000010
を満たし、式中、
PNPUSCH,c(i)は、タイムスロットi内の前記NPUSCH上の前記信号の前記送信電力を表し、PCMAX,c(i)は、前記端末デバイスの前記最大送信電力を表し、具体的には、セルc内のサブフレームiで、前記物理アップリンク共有チャネル上で前記信号を送信するために前記端末デバイスによって使用される最大送信電力を表すために使用され、MNPUSCH,c(i)は、送信帯域幅パラメータを表し、具体的には、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、具体的には、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項1から4のいずれか一項に記載の方法。
【請求項６】
前記第1のチャネルがNPRACHであり、前記第1の送信フォーマットを満たし前記第1のチャネル上にある前記信号が、前記第1のチャネルにおいて、そのカバレージレベルが0の信号である、または
前記第1のチャネルがNPUSCHであり、前記第1の送信フォーマットを満たし前記第1のチャネル上にある前記信号が、前記第1のチャネルにおいて、反復送信回数が2以下の信号である
請求項1から5のいずれか一項に記載の方法。
【請求項７】
端末デバイスによって、ネットワークデバイスによって送信された第1の指示情報を受信するステップであり、前記第1の指示情報が第1のチャネルの電力制御方式を示すために使用され、前記第1のチャネルの前記電力制御方式が電力制御方式セット内の1つの電力制御方式であり、前記電力制御方式セットが、以下の電力制御方式、すなわち、
前記第1のチャネル上の信号の送信電力が第1のパラメータに基づいて前記端末デバイスによって決定される、
第1の送信フォーマットを満たし前記第1のチャネル上にある信号の送信電力が第2のパラメータに基づいて前記端末デバイスによって決定され、前記第1の送信フォーマットを満たさず前記第1のチャネル上にある信号の送信電力が前記端末デバイスによって決定され、前記第1の送信フォーマットを満たさず前記第1のチャネル上にある前記信号の前記送信電力が前記端末デバイスの最大送信電力である、および
前記第1のチャネル上の信号の送信電力が、前記端末デバイスにおいてあらかじめ定義されたルールに従って前記端末デバイスによって決定される
のうちの少なくとも1つを含む、ステップと、
前記端末デバイスによって、前記第1の指示情報に基づいて前記第1のチャネルの前記電力制御方式を決定するステップと
を含む指示情報受信方法。
【請求項８】
前記端末デバイスによって、前記第1のチャネルの前記電力制御方式に基づいて、前記第1のチャネル上の前記信号の前記送信電力を決定するステップと、
前記端末デバイスによって、前記第1のチャネル上の前記信号の前記送信電力に基づいて前記ネットワークデバイスに信号を送信するステップと
をさらに含む、請求項7に記載の方法。
【請求項９】
前記第1の指示情報が、システム情報ブロック2-狭帯域SIB2-NBのRACH-ConfigCommon情報フィールドで運ばれる、請求項7または8に記載の方法。
【請求項１０】
前記第1のチャネル上の信号の送信電力が第1のパラメータに基づいて前記端末デバイスによって決定されることが、
前記第1のチャネルが狭帯域物理ランダムアクセスチャネルNPRACHであり、前記第1のパラメータがPLc、PCMAX,c(i)、およびPPRTを含み、前記NPRACH上の信号の送信電力PNPRACHが、以下の式
【数５】
2020520608.tif 000011
を満たし、式中、
PPRTは、プリアンブル受信ターゲット電力を表し、PCMAX,c(i)は、前記端末デバイスの前記最大送信電力を表し、具体的には、セルc内のサブフレームiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルが狭帯域物理アップリンク共有チャネルNPUSCHであり、前記第1のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、以下の式
【数６】
2020520608.tif 000012
を満たし、式中、
PNPUSCH,c(i)は、タイムスロットi内の前記NPUSCH上の前記信号の前記送信電力を表し、PCMAX,c(i)は、前記端末デバイスの前記最大送信電力を表し、具体的には、セルc内のサブフレームiで、前記物理アップリンク共有チャネル上で前記信号を送信するために前記端末デバイスによって使用される最大送信電力を表すために使用され、MNPUSCH,c(i)は、送信帯域幅パラメータを表し、具体的には、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、具体的には、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項7から9のいずれか一項に記載の方法。
【請求項１１】
第1の送信フォーマットを満たし前記第1のチャネル上にある信号の送信電力が、第2のパラメータに基づいて前記端末デバイスによって決定されることが、
前記第1のチャネルがNPRACHであり、前記第2のパラメータがPLc、PCMAX,c(i)、およびPPRTを含み、前記NPRACH上の信号の送信電力PNPRACHが、以下の式
【数７】
2020520608.tif 000013
を満たし、式中、
PPRTは、プリアンブル受信ターゲット電力を表し、PCMAX,c(i)は、前記端末デバイスの前記最大送信電力を表し、具体的には、セルc内のサブフレームiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルがNPUSCHであり、前記第2のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、以下の式
【数８】
2020520608.tif 000014
を満たし、式中、
PNPUSCH,c(i)は、タイムスロットi内の前記NPUSCH上の前記信号の前記送信電力を表し、PCMAX,c(i)は、前記端末デバイスの前記最大送信電力を表し、具体的には、セルc内のサブフレームiで、前記物理アップリンク共有チャネル上で前記信号を送信するために前記端末デバイスによって使用される最大送信電力を表すために使用され、MNPUSCH,c(i)は、送信帯域幅パラメータを表し、具体的には、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、具体的には、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項7から10のいずれか一項に記載の方法。
【請求項１２】
前記第1のチャネルがNPRACHであり、前記第1の送信フォーマットを満たし前記第1のチャネル上にある前記信号が、前記第1のチャネルにおいて、そのカバレージレベルが0の信号である、または
前記第1のチャネルがNPUSCHであり、前記第1の送信フォーマットを満たし前記第1のチャネル上にある前記信号が、前記第1のチャネルにおいて、反復送信回数が2以下の信号である
請求項7から11のいずれか一項に記載の方法。
【請求項１３】
第1の指示情報を生成するように構成されたプロセッサであり、前記第1の指示情報が、第1のチャネルの電力制御方式を示すために使用され、前記第1のチャネルの前記電力制御方式が、電力制御方式セット内の1つの電力制御方式であり、前記電力制御方式セットが、以下の電力制御方式、すなわち、
前記第1のチャネル上の信号の送信電力が第1のパラメータに基づいて端末デバイスによって決定される、
第1の送信フォーマットを満たし前記第1のチャネル上にある信号の送信電力が第2のパラメータに基づいて端末デバイスによって決定され、前記第1の送信フォーマットを満たさず前記第1のチャネル上にある信号の送信電力が前記端末デバイスによって決定され、前記第1の送信フォーマットを満たさず前記第1のチャネル上にある前記信号の前記送信電力が前記端末デバイスの最大送信電力である、および
前記第1のチャネル上の信号の送信電力が、前記端末デバイスにおいてあらかじめ定義されたルールに従って端末デバイスによって決定される
のうちの少なくとも1つを含む、プロセッサと、
前記第1の指示情報を前記端末デバイスに送信するように構成されたトランシーバと
を備えるネットワークデバイス。
【請求項１４】
前記トランシーバが、前記第1のチャネルのものであり前記第1の指示情報によって示される前記電力制御方式に基づいて、前記端末デバイスによって送信された信号を受信するようにさらに構成される、請求項13に記載のネットワークデバイス。
【請求項１５】
前記第1の指示情報が、システム情報ブロック2-狭帯域SIB2-NBで運ばれる、請求項13または14に記載のネットワークデバイス。
【請求項１６】
前記第1のチャネル上の信号の送信電力が第1のパラメータに基づいて端末デバイスによって決定されることが、
前記第1のチャネルが狭帯域物理ランダムアクセスチャネルNPRACHであり、前記第1のパラメータがPLc、PCMAX,c(i)、およびPPRTを含み、前記NPRACH上の信号の送信電力PNPRACHが、以下の式
【数９】
2020520608.tif 000015
を満たし、式中、
PPRTは、プリアンブル受信ターゲット電力を表し、PCMAX,c(i)は、前記端末デバイスの前記最大送信電力を表し、具体的には、セルc内のサブフレームiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルが狭帯域物理アップリンク共有チャネルNPUSCHであり、前記第1のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、以下の式
【数１０】
2020520608.tif 000016
を満たし、式中、
PNPUSCH,c(i)は、タイムスロットi内の前記NPUSCH上の前記信号の前記送信電力を表し、PCMAX,c(i)は、前記端末デバイスの前記最大送信電力を表し、具体的には、セルc内のサブフレームiで、前記物理アップリンク共有チャネル上で前記信号を送信するために前記端末デバイスによって使用される最大送信電力を表すために使用され、MNPUSCH,c(i)は、送信帯域幅パラメータを表し、具体的には、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、具体的には、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項13から15のいずれか一項に記載のネットワークデバイス。
【請求項１７】
第1の送信フォーマットを満たし前記第1のチャネル上にある信号の送信電力が、第2のパラメータに基づいて前記端末デバイスによって決定されることが、
前記第1のチャネルがNPRACHであり、前記第2のパラメータがPLc、PCMAX,c(i)、およびPPRTを含み、前記NPRACH上の信号の送信電力PNPRACHが、以下の式
【数１１】
2020520608.tif 000017
を満たし、式中、
PPRTは、プリアンブル受信ターゲット電力を表し、PCMAX,c(i)は、前記端末デバイスの前記最大送信電力を表し、具体的には、セルc内のサブフレームiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルがNPUSCHであり、前記第2のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、以下の式
【数１２】
2020520608.tif 000018
を満たし、式中、
PNPUSCH,c(i)は、タイムスロットi内の前記NPUSCH上の前記信号の前記送信電力を表し、PCMAX,c(i)は、前記端末デバイスの前記最大送信電力を表し、具体的には、セルc内のサブフレームiで、前記物理アップリンク共有チャネル上で前記信号を送信するために前記端末デバイスによって使用される最大送信電力を表すために使用され、MNPUSCH,c(i)は、送信帯域幅パラメータを表し、具体的には、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、具体的には、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項13から15のいずれか一項に記載のネットワークデバイス。
【請求項１８】
前記第1のチャネルがNPRACHであり、前記第1の送信フォーマットを満たし前記第1のチャネル上にある前記信号が、前記第1のチャネルにおいて、そのカバレージレベルが0の信号である、または
前記第1のチャネルがNPUSCHであり、前記第1の送信フォーマットを満たし前記第1のチャネル上にある前記信号が、前記第1のチャネルにおいて、反復送信回数が2以下の信号である
請求項13から17のいずれか一項に記載のネットワークデバイス。
【請求項１９】
ネットワークデバイスによって送信された第1の指示情報を受信するように構成されたトランシーバであり、前記第1の指示情報が、第1のチャネルの電力制御方式を示すために使用され、前記第1のチャネルの前記電力制御方式が、電力制御方式セット内の1つの電力制御方式であり、前記電力制御方式セットが、以下の電力制御方式、すなわち、
前記第1のチャネル上の信号の送信電力が第1のパラメータに基づいて前記端末デバイスによって決定される、
第1の送信フォーマットを満たし前記第1のチャネル上にある信号の送信電力が第2のパラメータに基づいて前記端末デバイスによって決定され、前記第1の送信フォーマットを満たさず前記第1のチャネル上にある信号の送信電力が前記端末デバイスによって決定され、前記第1の送信フォーマットを満たさず前記第1のチャネル上にある前記信号の前記送信電力が前記端末デバイスの最大送信電力である、および
前記第1のチャネル上の信号の送信電力が、前記端末デバイスにおいてあらかじめ定義されたルールに従って前記端末デバイスによって決定される
のうちの少なくとも1つを含む、トランシーバと、
前記第1の指示情報に基づいて前記第1のチャネルの前記電力制御方式を決定するように構成されたプロセッサと
を備える端末デバイス。
【請求項２０】
前記プロセッサが、さらに、前記第1のチャネルの前記電力制御方式に基づいて前記第1のチャネル上の前記信号の前記送信電力を決定するように構成され、
前記トランシーバが、さらに、前記第1のチャネル上の前記信号の前記送信電力に基づいて前記ネットワークデバイスに信号を送信するように構成される、
請求項19に記載の端末デバイス。
【請求項２１】
前記第1の指示情報が、システム情報ブロック2-狭帯域SIB2-NBで運ばれる、
請求項19または20に記載の端末デバイス。
【請求項２２】
前記第1のチャネル上の信号の送信電力が第1のパラメータに基づいて前記端末デバイスによって決定されることが、
前記第1のチャネルが狭帯域物理ランダムアクセスチャネルNPRACHであり、前記第1のパラメータがPLc、PCMAX,c(i)、およびPPRTを含み、前記NPRACH上の信号の送信電力PNPRACHが、以下の式
【数１３】
2020520608.tif 000019
を満たし、式中、
PPRTは、プリアンブル受信ターゲット電力を表し、PCMAX,c(i)は、前記端末デバイスの前記最大送信電力を表し、具体的には、セルc内のサブフレームiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルが狭帯域物理アップリンク共有チャネルNPUSCHであり、前記第1のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、以下の式
【数１４】
2020520608.tif 000020
を満たし、式中、
PNPUSCH,c(i)は、タイムスロットi内の前記NPUSCH上の前記信号の前記送信電力を表し、PCMAX,c(i)は、前記端末デバイスの前記最大送信電力を表し、具体的には、セルc内のサブフレームiで、前記物理アップリンク共有チャネル上で前記信号を送信するために前記端末デバイスによって使用される最大送信電力を表すために使用され、MNPUSCH,c(i)は、送信帯域幅パラメータを表し、具体的には、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、具体的には、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項19から21のいずれか一項に記載の端末デバイス。
【請求項２３】
第1の送信フォーマットを満たし前記第1のチャネル上にある信号の送信電力が、第2のパラメータに基づいて前記端末デバイスによって決定されることが、
前記第1のチャネルがNPRACHであり、前記第2のパラメータがPLc、PCMAX,c(i)、およびPPRTを含み、前記NPRACH上の信号の送信電力PNPRACHが、以下の式
【数１５】
2020520608.tif 000021
を満たし、式中、
PPRTは、プリアンブル受信ターゲット電力を表し、PCMAX,c(i)は、前記端末デバイスの前記最大送信電力を表し、具体的には、セルc内のサブフレームiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルがNPUSCHであり、前記第2のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、以下の式
【数１６】
2020520608.tif 000022
を満たし、式中、
PNPUSCH,c(i)は、タイムスロットi内の前記NPUSCH上の前記信号の前記送信電力を表し、PCMAX,c(i)は、前記端末デバイスの前記最大送信電力を表し、具体的には、セルc内のサブフレームiで、前記物理アップリンク共有チャネル上で前記信号を送信するために前記端末デバイスによって使用される最大送信電力を表すために使用され、MNPUSCH,c(i)は、送信帯域幅パラメータを表し、具体的には、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、具体的には、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項19から22のいずれか一項に記載の端末デバイス。
【請求項２４】
前記第1のチャネルがNPRACHであり、前記第1の送信フォーマットを満たし前記第1のチャネル上にある前記信号が、前記第1のチャネルにおいて、そのカバレージレベルが0の信号である、または
前記第1のチャネルがNPUSCHであり、前記第1の送信フォーマットを満たし前記第1のチャネル上にある前記信号が、前記第1のチャネルにおいて、反復送信回数が2以下の信号である
請求項19から23のいずれか一項に記載の端末デバイス。
【請求項２５】
請求項13から18のいずれか一項に記載の前記ネットワークデバイス、および請求項19から24のいずれか一項に記載の前記端末デバイスを含む通信システム。
【発明の詳細な説明】
【技術分野】
【０００１】
本出願は、2017年5月17日に中国特許庁に出願され、「INDICATION INFORMATION SENDING METHOD, INDICATION INFORMATION RECEIVING METHOD, DEVICE, AND SYSTEM」という名称の中国特許出願第201710349785.7号の優先権を主張するものであり、その全体は参照により本明細書に組み込まれる。
【０００２】
本出願は、ワイヤレス通信技術の分野に関し、詳細には、指示情報送信方法、指示情報受信方法、デバイス、およびシステムに関する。
【背景技術】
【０００３】
現在、狭帯域のモノのインターネット(Narrow Band Internet of Things、NB-IoT)システムでは、アップリンクで開ループ電力制御が使用されている。具体的には、NB-IoTシステムでの狭帯域物理ランダムアクセスチャネル(Narrowband Physical Random Access Channel、NPRACH)における信号の場合、信号のカバレージレベルが0であるとき、端末デバイスは、開ループ電力制御を有効にし、プリアンブル(preamble)初期電力やダウンリンクパスロスなどいくつかの電力制御パラメータに基づいて、NPRACH上の信号の送信電力を決定する。決定された送信電力に基づいてNPRACHにおいて信号を送信できないとき、端末デバイスは、電力ランピングを実行し、信号を再送信する。信号のカバレージレベルが1または2であるとき、信号は、端末デバイスの最大送信電力に基づいて、NPRACHにおいて直接送信され、最大送信電力は、基地局によって構成される。NB-IoTシステムでの狭帯域物理アップリンク共有チャネル(Narrowband Physical Uplink Shared Channel、NPUSCH)における信号の場合、信号送信の反復回数が2回以下であるとき、端末デバイスは、開ループ電力制御を有効にし、ダウンリンクパスロスやターゲット受信電力などいくつかの電力制御パラメータに基づいて、NPUSCH上の信号の送信電力を決定する。信号送信の反復回数が2よりも大きいとき、端末デバイスは、端末デバイスの最大送信電力に基づいて、NPUSCHにおいて信号を直接送信する。
【０００４】
従来技術では、端末デバイスの信号送信電力決定方式が固定されている。信号送信電力決定方式では、通信ネットワークの負荷が比較的軽いとき、または通信ネットワークに通信状況にある端末デバイスの数が比較的少ないとき、端末デバイスの再送信時間を短縮することができると同時に、送信される信号の品質が保証される。しかしながら、従来技術では、端末デバイスの信号送信電力決定方式では、たいていの場合、端末デバイスは最大送信電力を使用して信号を直接送信するので、干渉制限のある通信ネットワークまたは負荷が比較的重い通信ネットワークにおいて、端末デバイスの信号間の干渉は容易に悪化する可能性がある。
【０００５】
したがって、従来技術では、あらかじめ構成された信号送信電力決定方式で送信電力を決定するための方法には、比較的大きい制限がある。
【発明の概要】
【課題を解決するための手段】
【０００６】
本出願の実施形態は、端末デバイスが信号の送信電力を柔軟に決定するように、指示情報送信方法、指示情報受信方法、デバイス、およびシステムを提供する。
【０００７】
第1の態様によれば、本出願の一実施形態は、指示情報送信方法を提供し、指示情報送信方法は、
ネットワークデバイスによって、第1の指示情報を生成し、第1の指示情報を端末デバイスに送信するステップを含み、第1の指示情報が、第1のチャネルの電力制御方式を示すために使用され、第1のチャネルの電力制御方式が、電力制御方式セット内の1つの電力制御方式であり、電力制御方式セットが、以下の電力制御方式、すなわち、
第1のチャネル上の信号の送信電力が第1のパラメータに基づいて端末デバイスによって決定される、
第1の送信フォーマットを満たし第1のチャネル上にある信号の送信電力が、第2のパラメータに基づいて端末デバイスによって決定され、第1の送信フォーマットを満たさず第1のチャネル上にある信号の送信電力が、端末デバイスによって決定され、第1の送信フォーマットを満たさず第1のチャネル上にある信号の送信電力が、端末デバイスの最大送信電力である、および
第1のチャネル上の信号の送信電力が、端末デバイスにおいてあらかじめ定義されたルールに従って端末デバイスによって決定される
のうちの少なくとも1つを含む。
【０００８】
ネットワークデバイスは、端末デバイスが信号の送信電力を決定する従来技術のあらかじめ構成された方式と比較して、第1のチャネルの電力制御方式を示すために使用される第1の指示情報を端末デバイスに送信することができるので、端末デバイスは、より柔軟な方式で信号の送信電力を決定し、端末デバイスによって送信される信号間の干渉が低減されると同時に、システム容量が改善される。
【０００９】
第1の態様に基づいて、可能な設計では、ネットワークデバイスは、第1のチャネルのものであり、第1の指示情報によって示される電力制御方式に基づいて端末デバイスによって送信された信号を受信する。
【００１０】
端末デバイスは、第1の指示情報によって示される電力制御方式に基づいて信号を送信するので、ネットワークデバイスが端末デバイスによって送信された信号を受信する可能性が高くなる。
【００１１】
たとえば、ネットワークデバイスは、端末デバイスのためにより適切な電力制御方式を選択することができるように、ネットワークの負荷状況などのネットワーク特徴を参照して第1の指示情報を生成し得る。したがって、第1の指示情報によって示される電力制御方式に基づいて信号を送信するとき、端末デバイスは、現在のネットワーク環境により良く適応することができ、したがって、ネットワークデバイスが端末デバイスによって送信された信号を受信する可能性が高まる。
【００１２】
第1の態様に基づいて、可能な設計では、第1のチャネルは、物理アップリンク共有チャネルである、または第1のチャネルは、物理アップリンク制御チャネルである、または第1のチャネルは、物理ランダムアクセスチャネルである、または第1のチャネルは、物理アップリンク共有チャネル、物理アップリンク制御チャネル、および物理ランダムアクセスチャネル以外の別のアップリンク送信チャネルである。
【００１３】
第1の態様に基づいて、可能な設計では、第1のパラメータは、
基準信号受信電力(Reference Signal Receiving Power、RSRP)、パスロス、送信帯域幅パラメータ、端末デバイスの最大送信電力、プリアンブル受信ターゲット電力、プリアンブル初期受信ターゲット電力、初期送信電力、オフセット電力、プリアンブル試行回数、電力ランピングステップ、パスロス推定比係数、信号送信の反復回数、および電力指示パラメータ
のうちの少なくとも1つを含む。
【００１４】
送信帯域幅は、第1のチャネル上の信号の送信帯域幅であり、ターゲット受信電力は、第1のチャネル上の信号のターゲット受信電力であることを理解されたい。
【００１５】
第1の態様に基づいて、可能な設計では、第2のパラメータは、
RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブル試行回数、電力ランピングステップ、パスロス推定比係数、信号送信の反復回数、および電力指示パラメータ
のうちの少なくとも1つを含む。
【００１６】
第1のパラメータおよび第2のパラメータは、同じであっても異なっていてもよいことに留意されたい。たとえば、第1のパラメータは、RSRP、パスロス、および端末デバイスの最大送信電力であり、第2のパラメータは、送信帯域幅、端末デバイスの最大送信電力、およびターゲット受信電力である。代替的に、第1のパラメータと第2のパラメータの両方は、送信帯域幅と端末デバイスの最大送信電力である。
【００１７】
第1の態様に基づいて、可能な設計では、第1の送信フォーマットを満たし、第1のチャネル上にある信号は、具体的には、以下のようにして実装され得る。
反復送信回数が第1の条件を満たし、第1のチャネル上にある信号、
変調およびコーディング方式(Modulation and Coding Scheme、MCS)レベルが第2の条件を満たし、第1のチャネル上にある信号、
トランスポートブロックサイズが第3の条件を満たし、第1のチャネル上にある信号、または
カバレージレベルが第4の条件を満たし、第1のチャネル上にある信号。
【００１８】
第1の条件、第2の条件、第3の条件、および第4の条件は、ネットワークデバイス上であらかじめ構成されていてもよく、またはネットワークデバイスによって構成されてもよい。
【００１９】
第1の条件、第2の条件、第3の条件、および第4の条件がネットワークデバイスによって構成されるとき、端末デバイスは、第1の指示情報によって示される電力制御方式に基づいて信号を送信するとき、現在のネットワーク環境などにより良く適応することができる。
【００２０】
第1の態様に基づいて、可能な設計では、第1の指示情報は、システムメッセージで運ばれるか、または、第1の指示情報は、システムメッセージ以外の他の上位レイヤシグナリングで運ばれる。
【００２１】
第2の態様によれば、指示情報受信方法が提供され、指示情報受信方法は、
端末デバイスによって、ネットワークデバイスによって送信された第1の指示情報を受信し、第1の指示情報に基づいて第1のチャネルの電力制御方式を決定するステップを含み、
第1の指示情報が第1のチャネルの電力制御方式を示すために使用され、第1のチャネルの電力制御方式が電力制御方式セット内の1つの電力制御方式であり、電力制御方式セットが、以下の電力制御方式、すなわち、
第1のチャネル上の信号の送信電力が第1のパラメータに基づいて端末デバイスによって決定される、
第1の送信フォーマットを満たし第1のチャネル上にある信号の送信電力が第2のパラメータに基づいて端末デバイスによって決定され、第1の送信フォーマットを満たさず第1のチャネル上にある信号の送信電力が端末デバイスによって決定され、第1の送信フォーマットを満たさず第1のチャネル上にある信号の送信電力が端末デバイスの最大送信電力である、および
第1のチャネル上の信号の送信電力が、端末デバイスにおいてあらかじめ定義されたルールに従って端末デバイスによって決定される
のうちの少なくとも1つを含む。
【００２２】
端末デバイスは、従来技術と比較して、第1の指示情報によって示される電力制御方式に基づいて第1のチャネルの電力制御方式を決定できるので、端末デバイスによって決定される電力制御方式はより柔軟である。加えて、第1の指示情報はネットワークデバイスによって端末デバイスに送信されるので、端末デバイスによって送信される信号間の干渉が低減されると同時に、システム容量が改善される。
【００２３】
第2の態様に基づいて、可能な設計では、端末デバイスは、第1のチャネルの電力制御方式に基づいて第1のチャネル上の信号の送信電力を決定し、第1のチャネル上の信号の送信電力に基づいてネットワークデバイスに信号を送信する。
【００２４】
端末デバイスは、ネットワークデバイスに、第1の指示情報によって示される第1のチャネルのものである電力制御方式に基づいて信号を送信するので、ネットワークデバイスが端末デバイスによって送信された信号を受信する可能性が高くなる。
【００２５】
たとえば、ネットワークデバイスは、端末デバイスのためにより適切な電力制御方式を選択することができるように、ネットワークの負荷状況などのネットワーク特徴を参照して第1の指示情報を生成し得る。したがって、第1の指示情報によって示される電力制御方式に基づいて信号を送信するとき、端末デバイスは、現在のネットワーク環境により良く適応することができ、したがって、ネットワークデバイスが端末デバイスによって送信された信号を受信する可能性が高まる。
【００２６】
第2の態様に基づいて、可能な設計では、第1のチャネルは、物理アップリンク共有チャネルである、または第1のチャネルは、物理アップリンク制御チャネルである、または第1のチャネルは、物理ランダムアクセスチャネルである、または第1のチャネルは、物理アップリンク共有チャネル、物理アップリンク制御チャネル、および物理ランダムアクセスチャネル以外の別のアップリンク送信チャネルである。
【００２７】
第2の態様に基づいて、可能な設計では、第1のパラメータは、
RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブル試行回数、電力ランピングステップ、パスロス推定比係数、信号送信の反復回数、および電力指示パラメータ
のうちの少なくとも1つを含む。
【００２８】
第2の態様に基づいて、可能な設計では、第2のパラメータは、
RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブル試行回数、電力ランピングステップ、パスロス推定比係数、信号送信の反復回数、および電力指示パラメータ
のうちの少なくとも1つを含む。
【００２９】
第2の態様に基づいて、可能な設計では、第1の送信フォーマットを満たし、第1のチャネル上にある信号は、具体的には、以下のようにして実装され得る。
反復送信回数が第1の条件を満たし、第1のチャネル上にある信号、
MCSレベルが第2の条件を満たし、第1のチャネル上にある信号、
トランスポートブロックサイズが第3の条件を満たし、第1のチャネル上にある信号、または
カバレージレベルが第4の条件を満たし、第1のチャネル上にある信号。
【００３０】
第1の条件、第2の条件、第3の条件、および第4の条件は、ネットワークデバイス上であらかじめ構成されていてもよく、またはネットワークデバイスによって構成されてもよい。
【００３１】
第1の条件、第2の条件、第3の条件、および第4の条件がネットワークデバイスによって構成されるとき、端末デバイスは、第1の指示情報によって示される電力制御方式に基づいて信号を送信するとき、現在のネットワーク環境などにより良く適応することができる。
【００３２】
第2の態様に基づいて、可能な設計では、第1の指示情報は、システムメッセージで運ばれるか、または、第1の指示情報は、システムメッセージ以外の他の上位レイヤシグナリングで運ばれる。
【００３３】
第3の態様によれば、プロセッサおよびトランシーバを含むネットワークデバイスが提供される。プロセッサは、第1の指示情報を生成するように構成され、トランシーバは、第1の指示情報を端末デバイスに送信するように構成され、ここで、
第1の指示情報が第1のチャネルの電力制御方式を示すために使用され、第1のチャネルの電力制御方式が電力制御方式セット内の1つの電力制御方式であり、電力制御方式セットが、以下の電力制御方式、すなわち、
第1のチャネル上の信号の送信電力が第1のパラメータに基づいて端末デバイスによって決定される、
第1の送信フォーマットを満たし第1のチャネル上にある信号の送信電力が第2のパラメータに基づいて端末デバイスによって決定され、第1の送信フォーマットを満たさず第1のチャネル上にある信号の送信電力が端末デバイスによって決定され、第1の送信フォーマットを満たさず第1のチャネル上にある信号の送信電力が端末デバイスの最大送信電力である、および
第1のチャネル上の信号の送信電力が、端末デバイスにおいてあらかじめ定義されたルールに従って端末デバイスによって決定される
のうちの少なくとも1つを含む。
【００３４】
第3の態様に基づいて、可能な設計では、トランシーバは、さらに、第1のチャネルのものであり、第1の指示情報によって示される電力制御方式に基づいて端末デバイスによって送信された信号を受信するように構成される。
【００３５】
第3の態様に基づいて、可能な設計では、第1のパラメータは、
RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブル試行回数、電力ランピングステップ、パスロス推定比係数、信号送信の反復回数、および電力指示パラメータ
のうちの少なくとも1つを含む。
【００３６】
第3の態様に基づいて、可能な設計では、第2のパラメータは、
RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブル試行回数、電力ランピングステップ、パスロス推定比係数、信号送信の反復回数、および電力指示パラメータ
のうちの少なくとも1つを含む。
【００３７】
第4の態様によれば、本出願の一実施形態は、指示情報送信装置を提供し、この装置は、上記の方法実施形態におけるネットワークデバイスの挙動を実施する機能を有する。この機能は、ハードウェアによって実装されてもよく、または対応するソフトウェアを実行するハードウェアによって実装されてもよい。ハードウェアまたはソフトウェアは、上記の機能に対応する1つまたは複数のモジュールを含む。
【００３８】
第5の態様によれば、本出願の一実施形態は、第1の態様の技術的解決策および第1の態様で提供される任意の設計を実装するためのコンピュータソフトウェア命令を記憶するように構成されたコンピュータ記憶媒体を提供し、コンピュータソフトウェア命令は、第1の態様および第1の態様で提供される任意の設計を実行するために使用されるプログラムを含む。
【００３９】
第6の態様によれば、トランシーバおよびプロセッサを含む端末デバイスが提供される。トランシーバは、ネットワークデバイスによって送信された第1の指示情報を受信するように構成され、第1の指示情報が第1のチャネルの電力制御方式を示すために使用され、第1のチャネルの電力制御方式が電力制御方式セット内の1つの電力制御方式であり、電力制御方式セットが、以下の電力制御方式、すなわち、
第1のチャネル上の信号の送信電力が第1のパラメータに基づいて端末デバイスによって決定される、
第1の送信フォーマットを満たし第1のチャネル上にある信号の送信電力が第2のパラメータに基づいて端末デバイスによって決定され、第1の送信フォーマットを満たさず第1のチャネル上にある信号の送信電力が端末デバイスによって決定され、第1の送信フォーマットを満たさず第1のチャネル上にある信号の送信電力が端末デバイスの最大送信電力である、および
第1のチャネル上の信号の送信電力が、端末デバイスにおいてあらかじめ定義されたルールに従って端末デバイスによって決定される
のうちの少なくとも1つを含む。
【００４０】
プロセッサは、第1の指示情報に基づいて第1のチャネルの電力制御方式を決定するように構成される。
【００４１】
第6の態様に基づいて、可能な設計では、プロセッサは、さらに、第1のチャネルの電力制御方式に基づいて第1のチャネル上の信号の送信電力を決定するように構成され、
トランシーバは、さらに、第1のチャネル上の信号の送信電力に基づいてネットワークデバイスに信号を送信するように構成される。
【００４２】
第6の態様に基づいて、可能な設計では、第1のパラメータは、
RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブル試行回数、電力ランピングステップ、パスロス推定比係数、信号送信の反復回数、および電力指示パラメータ
のうちの少なくとも1つを含む。
【００４３】
第6の態様に基づいて、可能な設計では、第2のパラメータは、
RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブル試行回数、電力ランピングステップ、パスロス推定比係数、信号送信の反復回数、および電力指示パラメータ
のうちの少なくとも1つを含む。
【００４４】
第7の態様によれば、本出願の一実施形態は、指示情報受信装置を提供し、この装置は、上記の方法実施形態における端末デバイスの挙動を実施する機能を有する。この機能は、ハードウェアによって実装されてもよく、または対応するソフトウェアを実行するハードウェアによって実装されてもよい。ハードウェアまたはソフトウェアは、上記の機能に対応する1つまたは複数のモジュールを含む。モジュールは、ソフトウェアおよび/またはハードウェアとすることができる。
【００４５】
第8の態様によれば、本出願の一実施形態は、第2の態様の技術的解決策および第2の態様で提供される任意の設計を実装するためのコンピュータソフトウェア命令を記憶するように構成されたコンピュータ記憶媒体を提供し、コンピュータソフトウェア命令は、第2の態様および第2の態様で提供される任意の設計を実行するために使用されるプログラムを含む。
【００４６】
第9の態様によれば、本出願の一実施形態は、第3の態様のネットワークデバイスおよび第3の態様で提供される任意の設計と、第6の態様の端末デバイスおよび第6の態様で提供される任意の設計とを含む通信システムを提供する。
【図面の簡単な説明】
【００４７】
【図１】本出願の一実施形態による通信システムのネットワークアーキテクチャの図である。
【図２】本出願の一実施形態による、指示情報の送受信方法の概略フローチャートである。
【図３】本出願の一実施形態による、信号送信方法の概略フローチャートである。
【図４ａ】本出願の一実施形態による、ネットワークデバイスの概略構造図である。
【図４ｂ】本出願の一実施形態による、ネットワークデバイスの概略構造図である。
【図５ａ】本出願の一実施形態による、端末デバイスの概略構造図である。
【図５ｂ】本出願の一実施形態による、端末デバイスの概略構造図である。
【図６】本出願の一実施形態による、通信システムの概略構造図である。
【発明を実施するための形態】
【００４８】
本出願の実施形態は、添付の図面を参照して以下に詳細に説明される。
【００４９】
図1に示すように、図1は、本出願の実施形態で使用される通信システムのアーキテクチャ図である。通信システムは、ネットワークデバイスと端末デバイスとを含む。図1は、端末デバイスを1つのみ示す。しかしながら、本出願の実施形態で使用される通信システムは、1つまたは複数の端末デバイスを含んでいてもよい。これはここでは限定されない。たとえば、本出願の実施形態で使用される通信システムは、ロングタームエボリューション(Long Term Evolution、LTE)システムであってもよく、またはモバイル通信用グローバルシステム(Global System for Mobile Communications、GSM(登録商標))、ユニバーサルモバイルテレコミュニケーションズシステム(Universal Mobile Telecommunications System、UMTS)、符号分割多元接続(Code Division Multiple Access、CDMA)システム、または新しいネットワークシステムなど別のワイヤレス通信システムであってもよい。LTEシステムのNB-IoTシステムは、本出願の実施形態を詳細に説明するために、以下に一例として使用される。通信システムが別の通信システムであるとき、手順は、NB-IoTシステムの手順と同様である。詳細はここでは説明しない。NB-IoTシステムでは、物理アップリンク共有チャネルはNPUSCHとも呼ばれ、物理アップリンク制御チャネルは狭帯域物理アップリンク制御チャネル(Narrowband Physical Uplink Control Channel、NPUCCH)とも呼ばれ、物理ランダムアクセスチャネルはNPRACHなどとも呼ばれることを理解されたい。
【００５０】
本出願の実施形態におけるネットワークデバイスは、基地局、アクセスポイント、またはアクセスネットワークにおけるエアインターフェース上の1つまたは複数のセクタを使用することによってワイヤレス端末と通信するデバイスであり得ることを理解されたい。ネットワークデバイスが基地局であるとき、基地局は、受信されたオーバージエアフレームおよびインターネットプロトコル(Internet Protocol、IP)パケットを相互に変換するように構成されてもよく、ワイヤレス端末とアクセスネットワークの残りの部分との間のルータとして使用され、アクセスネットワークの残りの部分は、IPネットワークを含み得る。基地局は、エアインターフェースの属性管理を調整するように構成されてもよい。たとえば、基地局は、GSM(登録商標)またはCDMAシステムにおける基地トランシーバ局(Base Transceiver Station、BTS)、広帯域符号分割多元接続(Wideband Code Division Multiple Access、WCDMA(登録商標))におけるノードB(NodeB)、またはLTEシステムにおける発展型ノードB(evolutional Node B、eNB)であり得る。これは、本出願の実施形態では限定されない。
【００５１】
本出願の実施形態における端末デバイスは、ユーザに音声および/またはデータ接続性を提供するように構成されたデバイス、ワイヤレス接続機能を備えたハンドヘルドデバイス、またはワイヤレスモデムに接続された別の処理デバイスでもよいことを理解されたい。代替的に、端末は、ワイヤレス端末であってもよい。ワイヤレス端末は、無線アクセスネットワーク(Radio Access Network、RAN)を使用して1つまたは複数のコアネットワークと通信し得る。ワイヤレス端末は、携帯電話(「セルラー」電話とも呼ばれる)などのモバイル端末、またはモバイル端末を備えたコンピュータであり得る。たとえば、モバイル端末を備えたコンピュータは、無線アクセスネットワークと音声および/またはデータを交換するポータブル、ポケットサイズ、ハンドヘルド、コンピュータ内蔵、または車載のモバイル装置であってもよい。たとえば、ワイヤレス端末は、代替的に、パーソナル通信サービス(Personal Communication Service、PCS)電話、コードレス電話セット、セッション開始プロトコル(Session Initiation Protocol、SIP)電話、ワイヤレスローカルループ(Wireless Local Loop、WLL)ステーション、または携帯情報端末(Personal Digital Assistant、PDA)などのデバイスであってもよい。ワイヤレス端末は、システム、加入者ユニット(Subscriber Unit)、加入者ステーション(Subscriber Station)、モバイルステーション(Mobile Station)、モバイル(Mobile)、リモートステーション(Remote Station)、アクセスポイント(Access Point、AP)、リモートターミナル(Remote Terminal)、アクセスターミナル(Access Terminal)、ユーザターミナル(User Terminal)、ユーザエージェント(User Agent)、ユーザデバイス(User Device)、ユーザ機器(User Equipment)などとも呼ばれ得る。本出願の実施形態はこれに限定されない。
【００５２】
本出願の実施形態では、ネットワークデバイスは、第1の指示情報を使用して第1のチャネルの電力制御方式を端末デバイスに示すことができるので、ネットワークデバイスは、ネットワークデバイスの現在の負荷状況または現在の信号送信状況などのネットワーク特徴に基づいて、第1のチャネルの電力制御方式を端末デバイスに示すことができ、したがって、端末デバイスからネットワークデバイスへの信号の送信の柔軟性が向上し、端末デバイスの電力制御が現在の通信ネットワークにより良く適応することができる。
【００５３】
本出願の実施形態における電力制御方式は、電力制御規格、電力制御モード、電力制御方法、電力制御挙動、電力制御性能、電力制御パラメータなどとも呼ばれ得ることを理解されたい。これはここでは限定されない。第1のチャネルの電力制御方式は、第1のチャネル上の信号の送信電力を決定する方式を示すために使用される。
【００５４】
説明しやすいように、本出願の実施形態では、基地局をネットワークデバイスとして使用することによって説明が提供される。これは、本出願の実施形態における単なる一例であり、本出願は、例を含むがそれに限定されない。
【００５５】
図2に示すように、本出願の一実施形態における指示情報の送受信方法は、以下のステップを含む。
【００５６】
ステップ200:  基地局は、第1の指示情報を生成し、第1の指示情報が、第1のチャネルの電力制御方式を示すために使用され、第1のチャネルの電力制御方式が、電力制御方式セット内の1つの電力制御方式であり、電力制御方式セットが、以下の電力制御方式、すなわち、
第1のチャネル上の信号の送信電力は、第1のパラメータに基づいて端末デバイスによって決定される、
第1の送信フォーマットを満たし、第1のチャネル上にある信号の送信電力は、第2のパラメータに基づいて端末デバイスによって決定され、第1の送信フォーマットを満たさず、第1のチャネル上にある信号の送信電力は、端末デバイスによって決定され、第1の送信フォーマットを満たさず、第1のチャネル上にある信号の送信電力は、端末デバイスの最大送信電力である、および
第1のチャネル上の信号の送信電力は、端末デバイスにおいてあらかじめ定義されたルールに従って端末デバイスによって決定される
のうちの少なくとも1つを含む。
【００５７】
ステップ210:  基地局は、第1の指示情報を端末デバイスに送信する。
【００５８】
ステップ220:  基地局によって送信された第1の指示情報を受信した後、端末デバイスは、第1の指示情報に基づいて第1のチャネルの電力制御方式を決定する。
【００５９】
具体的には、本出願のこの実施形態における第1のチャネルは、物理アップリンク共有チャネル、物理アップリンク制御チャネル、または物理ランダムアクセスチャネルでもよく、または第1のチャネルは、物理アップリンク共有チャネル、物理アップリンク制御チャネル、または物理ランダムアクセスチャネル以外の別のアップリンク送信チャネルである。これは、本出願のこの実施形態では限定されない。
【００６０】
たとえば、本出願のこの実施形態における第1の指示情報はビット値であり、異なるビット値は異なる電力制御方式に対応している。たとえば、電力制御方式セットは、3つの電力制御方式を含む。ビット値00に対応する電力制御方式では、第1のチャネル上の信号の送信電力は、第1のパラメータに基づいて端末デバイスによって決定される。ビット値01に対応する電力制御方式では、第1の送信フォーマットを満たし、第1のチャネル上にある信号の送信電力は、第2のパラメータに基づいて端末デバイスによって決定され、第1の送信フォーマットを満たさず、第1のチャネル上にある信号の送信電力は、端末デバイスによって決定され、第1の送信フォーマットを満たさず、第1のチャネル上にある信号の送信電力は、端末デバイスの最大送信電力である。ビット値11に対応する電力制御方式では、第1のチャネル上の信号の送信電力は、端末デバイスにおいてあらかじめ定義されたルールに従って端末デバイスによって決定される。基地局によって端末デバイスに示される必要がある電力制御方式では、第1のチャネル上の信号の送信電力が第1のパラメータに基づいて端末デバイスによって決定されるとき、第1の指示情報はビット値00である。さらに、第1の指示情報はシーケンスなどであってもよく、その実装形態は、第1の指示情報がビット値である場合のものと同様である。詳細はここでは説明しない。
【００６１】
本出願のこの実施形態では、電力制御方式セットが2つの電力制御方式を含むとき、基地局は、第1の指示情報を送信することによって電力制御方式のうちの1つを示す、または情報を送信しないことによって他方の電力制御方式を示し得る。たとえば、第1の指示情報、たとえばビット値1を運ぶ情報フィールドに情報があるとき、電力制御方式セット内の1つの電力制御方式が示され、または、第1の指示情報を運ぶ情報フィールドがヌルであるとき、電力制御方式セット内の他方の電力制御方式が示される。
【００６２】
随意に、本出願のこの実施形態では、第1の指示情報は、システムメッセージで運ばれ、次いで、端末デバイスに送信されてもよく、または、第1の指示情報は、システムメッセージ以外の他の上位層シグナリングで運ばれ、次いで、端末デバイスに送信される。これは、本出願のこの実施形態では限定されない。
【００６３】
たとえば、NB-IoTシステムでは、第1の指示情報は、システム情報(System Information)で運ばれ得る。具体的には、第1の指示情報は、SIB2-NBのRACH-ConfigCommon情報フィールドで運ばれ得る。加えて、第1の指示情報は、代替的に、マスター情報ブロック(Master Information Block、MIB)、または任意のシステム情報ブロック(System Information Block、SIB)で運ばれてもよい。
【００６４】
たとえば、第1の指示情報は、代替として、無線リソース制御(Radio Resource Control、RRC)シグナリングで運ばれてもよい。特定の実装中に、NB-IoTシステムが一例として使用され、第1の指示情報は、Radio Resource Config Dedicated-NB情報フィールドで運ばれてもよく、または、第1の指示情報は、Physical Config Dedicated-NB情報フィールドで運ばれてもよく、または、第1の指示情報は、uplink Power Control Dedicated情報フィールドで運ばれてもよい。
【００６５】
電力制御方式セットに含まれ得る電力制御方式については、以下で個別に具体的に説明する。
【００６６】
第1の電力制御方式は以下のとおりである。第1のチャネル上の信号の送信電力は、第1のパラメータに基づいて端末デバイスによって決定される。
【００６７】
この電力制御方式では、端末デバイスは、第1のチャネルにおける信号の送信電力を決定する、具体的に言えば、端末デバイスは常に、第1のパラメータに基づいて、開ループ電力制御方式での第1のチャネルにおける信号の送信電力を決定することに留意されたい。たとえば、端末デバイスは、パスロスに基づいてNPUSCHでの信号の送信電力を決定する、プリアンブル初期電力およびプリアンブルを送信する反復回数に基づいてNPRACHでの信号の送信電力を決定するなどである。
【００６８】
この電力制御方式では、端末デバイスは、実際の要件に基づいて、第1のチャネル上の信号の送信電力を決定する。したがって、通信ネットワークに比較的重い負荷または干渉制限があるとき、端末デバイスの最大送信電力に基づいて信号を送信する方式と比較して、システム容量がある程度まで改善し、端末デバイスの信号間の干渉を低減することができる。
【００６９】
具体的には、本出願のこの実施形態では、第1のパラメータは、
RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブル試行回数、電力ランピングステップ、パスロス推定比係数、信号送信の反復回数、および電力指示パラメータ
のうちの少なくとも1つを含む。上記のうちのいずれか1つが、シグナリングを使用して基地局から端末デバイスに送信されてもよく、端末デバイスによって測定されてもよく、計算を介して端末デバイスによって取得されてもよく、または端末デバイスにおいてあらかじめ定義されていてもよい。たとえば、第1のチャネルは、物理ランダムアクセスチャネルであり、送信帯域幅、端末デバイスの最大送信電力、プリアンブル受信ターゲット電力、プリアンブル初期受信ターゲット電力、オフセット電力、電力ランピングステップ、パスロス推定比係数、または物理ランダムアクセスチャネル上の異なるカバレージレベルを有する信号の送信電力を決定するために端末デバイスによって使用される反復回数は、同じであっても異なっていてもよい。初期送信電力は、第1のチャネルでの信号の初期送信電力であることにさらに留意されたい。
【００７０】
NB-IoTシステムを一例として使用する。たとえば、第1のチャネルはNPUSCHであり、第1のパラメータが端末デバイスの最大送信電力、送信帯域幅パラメータ、パスロス、初期送信電力、およびパスロス推定比係数を含むとき、NPUSCH上の信号の送信電力は、以下の式を満たす。
【００７１】
【数１】
2020520608.tif 000003
【００７２】
式中、
PNPUSCH,c(i)は、タイムスロットi内の物理アップリンク共有チャネル上の信号の送信電力を表し、PCMAX,c(i)は、セルc内のサブフレームiで、物理アップリンク共有チャネル上で信号を送信するために端末デバイスによって使用される最大送信電力を表し、MNPUSCH,c(i)は、送信帯域幅パラメータを表し、具体的には、タイムスロットi内の物理アップリンク共有チャネル上の信号の帯域幅係数であり、PO_NPUSCH,c(j)は、j=1のとき、動的にスケジュールされたNPUSCHの初期送信電力を表し、またはj=2のとき、ランダムアクセスプロセスでのメッセージ3の初期送信電力を表し、αc(j)は、パスロス推定率を表し、具体的には、j=1のとき、動的にスケジュールされたNPUSCHのパスロス推定比係数を表し、または、j=2のとき、ランダムアクセスプロセスでのメッセージ3のパスロス推定比係数を表し、PLcは、セルcのものであり端末デバイスによって測定されるダウンリンクパスロスを表し、dBmは電力の単位である。
【００７３】
NB-IoTシステムを一例として使用する。たとえば、第1のチャネルはNPRACHであり、第1のパラメータがパスロス、端末デバイスの最大送信電力、プリアンブル受信ターゲット電力、プリアンブル初期受信ターゲット電力、オフセット電力、プリアンブルの試行回数、電力ランピングステップ、および信号送信の反復回数を含むとき、NPRACHでの信号の送信電力は、以下の式を満たす。
【００７４】
【数２】
2020520608.tif 000004
【００７５】
および
具体的には、PPRT=PPIRT+PDP+(Np1-1)×PS-10log10Np2であり、式中、
PNPRACHは、NPRACH上の信号の送信電力を表し、PCMAX,c(i)は、端末デバイスの最大送信電力を表し、具体的には、セルc内のサブフレームiで、物理ランダムアクセスチャネル上で信号を送信するために端末デバイスによって使用される最大送信電力を表し、PPRTは、プリアンブル受信ターゲット電力を表し、PLcは、セルcのものであり端末デバイスによって測定されるダウンリンクパスロスを表し、PPIRTは、プリアンブル初期受信ターゲット電力を表し、PDPは、オフセット電力を表し、具体的には、プリアンブルの電力オフセットを表し、Np1は、プリアンブルの試行回数を表し、具体的には、プリアンブルの送信を試行する回数であり、たとえば、端末デバイスが5回目の送信を試行するとき、Np1の値は5であり、PSは、電力ランプステップを表し、具体的には、ランダムアクセス失敗後の端末デバイスによる再アクセス中に増加した電力値を表し、Np2は、現在のプリアンブル送信の反復回数を表す。
【００７６】
上記の電力制御方式は、説明のための一例としてのみ使用される。本出願のこの実施形態では、第1のパラメータは、RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブルの試行回数、電力ランピングステップ、パスロス推定比係数、反復回数、および電力指示パラメータのうちの少なくとも1つを含み得ることを理解されたい。送信帯域幅パラメータは、信号の送信帯域幅または送信帯域幅に対応する値を表すために使用され、電力指示パラメータは、第1のチャネル上の信号の送信電力を決定するプロセスで使用される、RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブルの試行回数、電力ランピングステップ、パスロス推定比係数、および反復回数以外のパラメータまたはパラメータセットを表す。
【００７７】
第2の電力制御方式は以下のとおりである。第1の送信フォーマットを満たし、第1のチャネル上にある信号の送信電力は、第2のパラメータに基づいて端末デバイスによって決定され、第1の送信フォーマットを満たさず、第1のチャネル上にある信号の送信電力は、端末デバイスによって決定され、第1の送信フォーマットを満たさず、第1のチャネル上にある信号の送信電力は、端末デバイスの最大送信電力である。
【００７８】
この電力制御方式では、第1の送信フォーマットは、基地局によって構成されてもよく、またはあらかじめ設定されていてもよい。
【００７９】
具体的には、第1の送信フォーマットを満たし、第1のチャネル上にある信号は、
反復送信回数が第1の条件を満たし、第1のチャネル上にある信号、MCSレベルが第2の条件を満たし、第1のチャネル上にある信号、トランスポートブロックサイズが第3の条件を満たし、第1のチャネル上にある信号、またはカバレージレベルが第4の条件を満たし、第1のチャネル上にある信号
であり得る。
【００８０】
本出願のこの実施形態では、第1の条件、第2の条件、第3の条件、または第4の条件は、基地局においてあらかじめ設定されていてもよく、または基地局によって構成されてもよい。第1の条件、第2の条件、第3の条件、または第4の条件が基地局によって構成されるとき、基地局は、ネットワークシステムの現在の負荷状況などに基づいて対応する構成を実行し得る。
【００８１】
たとえば、反復送信回数が第1の条件を満たし、第1のチャネル上にある信号は、反復送信回数が第1のしきい値未満であり、第1のチャネル上にある信号、反復送信回数が第1のしきい値以下であり、第1のチャネル上にある信号、反復送信回数が第1のしきい値よりも大きく、第1のチャネル上にある信号、または反復送信回数が第1のしきい値以上であり、第1のチャネル上にある信号であり得る。第1のしきい値はあらかじめ設定されていてもよい。たとえば、第1のしきい値を2に設定してもよい。代替的に、基地局によって第1のしきい値が設定されていてもよい。たとえば、基地局の負荷が比較的大きいとき、反復送信回数が第1の条件を満たし、第1のチャネル上にある信号が、反復送信回数が第1のしきい値未満であり、第1のチャネル上にある信号である場合、または反復送信回数が第1のしきい値以下であり、第1のチャネル上にある信号の場合、システム容量を改善するために、第1のしきい値がより大きい値に設定されていてもよい。たとえば、第1のしきい値が16などとして構成されてもよい。
【００８２】
反復送信回数が第1の条件を満たし、第1のチャネル上にある信号は、代替的に、反復送信回数が特定の範囲内にあり、第1のチャネル上にある信号であり得る。特定の範囲は、基地局によって決定されてもよく、またはあらかじめ設定されていてもよい。特定の範囲は、たとえば、N1とN2の間の正の整数など、連続する範囲でもよく、またはN1とN2の間の正の整数、およびN3とN4の間の正の整数など、不連続の範囲でもよい。N1、N2、N3、およびN4は、異なる正の整数である。
【００８３】
たとえば、MCSレベルが第2の条件を満たし、第1のチャネル上にある信号は、MCSレベルが第1のレベル未満であり、第1のチャネル上にある信号、MCSレベルが第1のレベル以下であり、第1のチャネル上にある信号、MCSレベルが第1のレベルよりも大きく、第1のチャネル上にある信号、またはMCSレベルが第1のレベル以上であり、第1のチャネル上にある信号であり得る。第1のレベルはあらかじめ設定されていてもよい。たとえば、第1のレベル値が1に設定されてもよい。代替的に、基地局によって第1のレベルが設定されていてもよい。たとえば、基地局の負荷が比較的軽いとき、MCSレベルが第2の条件を満たし、第1のチャネル上にある信号が、MCSレベルが第1のレベル未満であり、第1のチャネル上にある信号である、またはMCSレベルが第1のレベル以下であり、第1のチャネル上にある信号であるとき、端末デバイスにより良いサービスを提供するために、基地局は、第1のレベルをより小さい値に設定してもよく、たとえば、基地局は、第1のレベルを1に設定する。代替的に、基地局の負荷が比較的重いとき、MCSレベルが第2の条件を満たし、第1のチャネル上にある信号が、MCSレベルが第1のレベル未満であり、第1のチャネル上にある信号である、またはMCSレベルが第1のレベル以下であり、第1のチャネル上にある信号であるとき、システム容量を改善するために、基地局は、第1のレベルをより大きい値に設定してもよく、たとえば、基地局は、第1のレベルを4に設定する。
【００８４】
たとえば、NB-IoTシステムが一例として使用され、MCSレベル0、MCSレベル1、…、MCSレベル(N-1)などのN個のMCSレベルが含まれる。信号のものであり、第2の条件を満たすMCSレベルは、N個のMCSレベルのサブセットである。たとえば、MCSレベルが第2の条件を満たし、第1のチャネル上にある信号は、MCSレベルが特定のMCSレベル範囲内にあり、第1のチャネル上にある信号であり得る。たとえば、特定のMCSレベル範囲は、MCSレベル3、MCSレベル4、およびMCSレベル9を含む。具体的には、特定のMCSレベル範囲は、基地局によって構成されてもよく、またはあらかじめ設定されていてもよい。これはここでは限定されない。
【００８５】
たとえば、トランスポートブロックサイズが第3の条件を満たし、第1のチャネル上にある信号は、トランスポートブロックサイズが第2のしきい値未満であり、第1のチャネル上にある信号、トランスポートブロックサイズが第2のしきい値以下であり、第1のチャネル上にある信号、トランスポートブロックサイズが第2のしきい値よりも大きく、第1のチャネル上にある信号、またはトランスポートブロックサイズが第2のしきい値以上であり、第1のチャネル上にある信号であり得る。第2のしきい値はあらかじめ構成されていてもよく、基地局によって設定されていてもよい。たとえば、第2のしきい値が基地局によって設定されるとき、基地局は、ネットワーク内の信号送信が動的に平衡化されるように、ネットワークシステム内の端末デバイスによって送信される信号間の干渉を低減するために、基地局の負荷状況に基づいて対応する設定を実行し得る。
【００８６】
トランスポートブロックサイズが第3の条件を満たし、第1のチャネル上にある信号は、代替的に、トランスポートブロックサイズが特定の範囲内にあり、第1のチャネル上にある信号であり得る。特定の範囲は、基地局によって構成されてもよく、またはあらかじめ設定されていてもよい。これはここでは限定されない。
【００８７】
たとえば、カバレージレベルが第4の条件を満たし、第1のチャネル上にある信号は、カバレージレベルが第2のレベル未満であり、第1のチャネル上にある信号、カバレージレベルが第2のレベル以下であり、第1のチャネル上にある信号、カバレージレベルが第2の大きいよりも大きく、第1のチャネル上にある信号、またはカバレージレベルが第2のレベル以上であり、第1のチャネル上にある信号であり得る。第2のレベルは、特定のカバレージレベルであり、あらかじめ構成されていてもよく、または基地局によって設定されていてもよい。たとえば、NB-IoTシステムのNPRACHが一例として使用され、カバレージレベル0、カバレージレベル1、…、カバレージレベル(N-1)などのN個のカバレージレベルが含まれる。第2のレベルは、カバレージレベル0、カバレージレベル1、…、またはカバレージレベル(N-1)であり得る。第2のレベルが基地局によって設定されるとき、基地局は、ネットワーク内の信号送信が動的に平衡化されるように、ネットワークシステム内の端末デバイスによって送信される信号間の干渉を低減するために、基地局の負荷状況に基づいて対応する設定を実行し得る。
【００８８】
たとえば、カバレージレベルが第4の条件を満たし、第1のチャネル上にある信号は、代替的に、カバレージレベルが特定のカバレージレベル範囲内にあり、第1のチャネル上にある信号であり得る。特定のカバレージレベル範囲は、基地局によって構成されてもよく、またはあらかじめ設定されていてもよい。これはここでは限定されない。
【００８９】
具体的には、本出願のこの実施形態では、第2のパラメータは、
RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブル試行回数、電力ランピングステップ、パスロス推定比係数、信号送信の反復回数、および電力指示パラメータ
のうちの少なくとも1つを含む。上記のうちのいずれか1つが、シグナリングを使用して基地局から端末デバイスに送信されてもよく、端末デバイスによって測定されてもよく、計算を介して端末デバイスによって取得されてもよく、または端末デバイスにおいてあらかじめ定義されていてもよい。たとえば、第1のチャネルは、物理ランダムアクセスチャネルであり、送信帯域幅、端末デバイスの最大送信電力、プリアンブル受信ターゲット電力、プリアンブル初期受信ターゲット電力、オフセット電力、電力ランピングステップ、パスロス推定比係数、または物理ランダムアクセスチャネル上の異なるカバレージレベルを有する信号の送信電力を決定するために端末デバイスによって使用される反復回数は、同じであっても異なっていてもよい。初期送信電力は、第1のチャネルでの信号の初期送信電力であることにさらに留意されたい。
【００９０】
NB-IoTシステムを一例として使用する。たとえば、第1のチャネルはNPUSCHであり、第2のパラメータが端末デバイスの最大送信電力、送信帯域幅パラメータ、パスロス、初期送信電力、およびパスロス推定比係数を含むとき、第1の送信フォーマットを満たし、NPUSCH上にある信号の送信電力は、以下の式を満たす。
【００９１】
【数３】
2020520608.tif 000005
【００９２】
式中、
PNPUSCH,c(i)は、タイムスロットi内の物理アップリンク共有チャネル上の信号の送信電力を表し、PCMAX,c(i)は、タイムスロットiで、物理アップリンク共有チャネル上で信号を送信するために端末デバイスによって使用される最大送信電力を表し、MNPUSCH,c(i)は、送信帯域幅パラメータを表し、具体的には、タイムスロットi内の物理アップリンク共有チャネル上の信号の帯域幅係数であり、PO_NPUSCH,c(j)は、j=1のとき、動的にスケジュールされたNPUSCHの初期送信電力を表し、またはj=2のとき、ランダムアクセスプロセスでのメッセージ3の初期送信電力を表し、αc(j)は、パスロス推定率を表し、具体的には、j=1のとき、動的にスケジュールされたNPUSCHのパスロス推定比係数を表し、または、j=2のとき、ランダムアクセスプロセスでのメッセージ3のパスロス推定比係数を表し、PLcは、端末デバイスによって決定されるダウンリンクパスロスを表し、dBmは電力の単位である。
【００９３】
第1の送信フォーマットを満たさず、NPUSCH上にある信号の送信電力は、端末デバイスの最大送信電力である。
【００９４】
NB-IoTシステムを一例として使用する。たとえば、第1のチャネルはNPRACHであり、第2のパラメータがパスロス、端末デバイスの最大送信電力、プリアンブル受信ターゲット電力、プリアンブル初期受信ターゲット電力、オフセット電力、プリアンブルの試行回数、第1の送信フォーマットを満たし、NPRACHでの信号の送信電力は、以下の式を満たす。
【００９５】
【数４】
2020520608.tif 000006
【００９６】
および
具体的には、PPRT=PPIRT+PDP+(Np1-1)×PS-10log10Np2であり、式中、
PNPRACHは、第1の送信フォーマットを満たし、NPRACH上にある信号の送信電力を表し、PCMAX,c(i)は、端末デバイスの最大送信電力を表し、具体的には、セルc内のサブフレームiで、物理ランダムアクセスチャネル上で信号を送信するために端末デバイスによって使用される最大送信電力を表し、PPRTは、プリアンブル受信ターゲット電力を表し、PLcは、セルcのものであり端末デバイスによって測定されるダウンリンクパスロスを表し、PPIRTは、プリアンブル初期受信ターゲット電力を表し、PDPは、オフセット電力を表し、具体的には、プリアンブルの電力オフセットを表し、Np1は、プリアンブルの試行回数を表し、具体的には、プリアンブルの送信を試行する回数であり、たとえば、端末デバイスが5回目の送信を試行するとき、Np1の値は5であり、PSは、電力ランプステップを表し、具体的には、ランダムアクセス失敗後の端末デバイスによる再アクセス中に増加した電力値を表し、Np2は、現在のプリアンブル送信の反復回数を表す。
【００９７】
第1の送信フォーマットを満たさず、NPRACH上にある信号の送信電力は、端末デバイスの最大送信電力である。
【００９８】
上記の電力制御方式は、説明のための一例としてのみ使用される。本出願のこの実施形態では、第2のパラメータには、RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブルの試行回数、電力ランピングステップ、パスロス推定比係数、反復回数、および電力指示パラメータのうちの少なくとも1つを含み得ることを理解されたい。送信帯域幅パラメータは、信号の送信帯域幅または送信帯域幅に対応する値を表すために使用され、電力指示パラメータは、第1のチャネル上の信号の送信電力を決定するプロセスで使用される、RSRP、パスロス、送信帯域幅パラメータ、端末デバイスの最大送信電力、プリアンブル受信ターゲット電力、プリアンブル初期受信ターゲット電力、オフセット電力、プリアンブルの試行回数、電力ランピングステップ、パスロス推定比係数、および反復回数以外のパラメータまたはパラメータセットを表す。初期送信電力は、第1のチャネルでの信号の初期送信電力であることにさらに留意されたい。
【００９９】
第3の電力制御方式は以下のとおりである。第1のチャネル上の信号の送信電力は、端末デバイスにおいてあらかじめ定義されたルールに従って端末デバイスによって決定される。端末デバイスにおいてあらかじめ定義されたルールは、信号の最終的な送信電力を決定するために任意の端末デバイスによって使用することができる方法、機能、マッピング関係などであり得る。端末デバイスは、端末デバイスの信号送信効率を最大限に確保できるように、基地局の影響を受けたり、基地局によって制御されたりすることなく、第1のチャネル上の信号の送信電力を決定する。たとえば、端末デバイスは、端末デバイスの送信されるべきデータを低遅延および高信頼性で基地局に送信できるように、常に、第1のチャネル上の信号の送信電力が端末デバイスの最大送信電力であると判断する。
【０１００】
図3は、本出願の実施形態における電力制御方式に基づく信号送信方法を示す。図2に示す指示情報の送受信方法のステップ200からステップ220に加えて、この方法は、さらに以下のステップを含む。
【０１０１】
ステップ310:  端末デバイスは、第1のチャネルの電力制御方式に基づいて、第1のチャネル上の信号の送信電力を決定する。
【０１０２】
ステップ320:  端末デバイスは、第1のチャネル上の信号の送信電力に基づいて基地局に信号を送信し、次いで、基地局は、端末によって送信された信号を受信する。
【０１０３】
端末デバイスは、基地局によって送信された第1の指示情報を使用して第1のチャネル上の信号の送信電力を決定することができるので、端末デバイスによって送信された信号と別の端末デバイスによって送信された信号との間の干渉は比較的小さく、したがって、端末デバイスが基地局に正常に信号を送信する可能性が高まる。
【０１０４】
同じ概念に基づいて、本出願の一実施形態は、ネットワークデバイスをさらに提供する。ネットワークデバイスは、上記の方法の実施形態におけるネットワークデバイスのアクションまたは機能を実行するように構成される。
【０１０５】
同じ概念に基づいて、本出願の一実施形態は、端末デバイスをさらに提供する。端末デバイスは、上記の方法の実施形態における端末デバイスのアクションまたは機能を実行するように構成される。
【０１０６】
本出願の一実施形態は、上記の実施形態におけるネットワークデバイスおよび端末デバイスを含む通信システムをさらに提供する。
【０１０７】
簡潔のために、装置部分の内容については、具体的には方法の実施形態を参照されたい。詳細は繰り返し説明しない。
【０１０８】
図4aは、本出願の一実施形態によるネットワークデバイス400aを示す。ネットワークデバイス400aは、処理モジュール410aおよびトランシーバモジュール420aを含む。処理モジュール410aは、第1の指示情報を生成するように構成される。第1の指示情報が、第1のチャネルの電力制御方式を示すために使用され、第1のチャネルの電力制御方式が、電力制御方式セット内の1つの電力制御方式であり、電力制御方式セットが、以下の電力制御方式、すなわち、
第1のチャネル上の信号の送信電力は、第1のパラメータに基づいて端末デバイスによって決定される、
第1の送信フォーマットを満たし、第1のチャネル上にある信号の送信電力は、第2のパラメータに基づいて端末デバイスによって決定され、第1の送信フォーマットを満たさず、第1のチャネル上にある信号の送信電力は、端末デバイスによって決定され、第1の送信フォーマットを満たさず、第1のチャネル上にある信号の送信電力は、端末デバイスの最大送信電力である、および
第1のチャネル上の信号の送信電力は、端末デバイスにおいてあらかじめ定義されたルールに従って端末デバイスによって決定される
のうちの少なくとも1つを含む。
【０１０９】
トランシーバモジュール420aは、第1の指示情報を端末デバイスに送信するように構成される。
【０１１０】
可能な実装形態では、トランシーバモジュール420aは、第1のチャネルのものであり、第1の指示情報によって示される電力制御方式に基づいて端末デバイスによって送信された信号を受信するように構成される。
【０１１１】
可能な実装形態では、第1のパラメータは、
RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブル試行回数、電力ランピングステップ、パスロス推定比係数、信号送信の反復回数、および電力指示パラメータ
のうちの少なくとも1つを含む。
【０１１２】
可能な実装形態では、第2のパラメータは、
RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブル試行回数、電力ランピングステップ、パスロス推定比係数、信号送信の反復回数、および電力指示パラメータ
のうちの少なくとも1つを含む。
【０１１３】
本出願のこの実施形態では、処理モジュール410aは、プロセッサによって実装されてもよく、トランシーバモジュール420aは、トランシーバによって実装されてもよいことに留意されたい。具体的には、トランシーバは、受信機と送信機とを含み、受信機は、信号またはデータを受信するように構成され、送信機は、信号またはデータを送信するように構成される。
【０１１４】
図4bに示すように、図4bは、本出願の一実施形態による、ネットワークデバイス400bのハードウェアの概略構造図である。ネットワークデバイス400bは、プロセッサ410b、トランシーバ420b、およびメモリ430bを含み得る。メモリ430bは、ネットワークデバイス400bが工場から出荷されるときにプレインストールされたプログラム/コードを記憶するように構成されてもよく、プロセッサ410bによって実行されるコードを記憶してもよい。
【０１１５】
プロセッサ410bは、汎用中央処理ユニット(Central Processing Unit、CPU)、マイクロプロセッサ、特定用途向け集積回路(Application-Specific Integrated Circuit、ASIC)、または1つもしくは複数の集積回路であり得、本出願の実施形態で提供される技術的解決策を実装するために関連する操作を実行するように構成される。
【０１１６】
留意すべきは、図4bに示されるネットワークデバイス400bについては、プロセッサ410b、トランシーバ420b、およびメモリ430bのみが示されているが、特定の実装プロセスにおいて、ネットワークデバイス400bが通常の実行に必要な別のコンポーネントをさらに含むことを当業者は理解されたい。さらに、特定の要件に基づいて、ネットワークデバイス400bが別の追加機能を実装するためのハードウェアコンポーネントをさらに含み得ることを、当業者は理解されたい。加えて、ネットワークデバイス400bは本出願のこの実施形態を実施するのに必要なコンポーネントまたはモジュールのみを含み得るが、図4bに示すすべてのコンポーネントを含む必要はないことを、当業者は理解されたい。
【０１１７】
当業者は、上記の実施形態の方法を実施するためのすべてまたはいくつかの手順が、関連するハードウェアに命令するコンピュータプログラムによって実施され得ることを理解されよう。上記のプログラムは、コンピュータ可読記憶媒体に記憶されてもよく、プログラムが実行されると、上記の方法実施形態の手順が実施され得る。上記の記憶媒体は、磁気ディスク、光ディスク、読取り専用メモリ(Read-Only Memory、ROM)、ランダムアクセスメモリ(Random Access Memory、RAM)などであってもよい。
【０１１８】
図5aは、本出願の一実施形態による端末デバイス500aを示す。端末デバイス500aは、トランシーバモジュール510aおよび処理モジュール520aを含む。トランシーバモジュール510aは、ネットワークデバイスによって送信された第1の指示情報を受信するように構成される。第1の指示情報が、第1のチャネルの電力制御方式を示すために使用され、第1のチャネルの電力制御方式が、電力制御方式セット内の1つの電力制御方式であり、電力制御方式セットが、以下の電力制御方式、すなわち、
第1のチャネル上の信号の送信電力は、第1のパラメータに基づいて端末デバイスによって決定される、
第1の送信フォーマットを満たし、第1のチャネル上にある信号の送信電力は、第2のパラメータに基づいて端末デバイスによって決定され、第1の送信フォーマットを満たさず、第1のチャネル上にある信号の送信電力は、端末デバイスによって決定され、第1の送信フォーマットを満たさず、第1のチャネル上にある信号の送信電力は、端末デバイスの最大送信電力である、および
第1のチャネル上の信号の送信電力は、端末デバイスにおいてあらかじめ定義されたルールに従って端末デバイスによって決定される
のうちの少なくとも1つを含む。
【０１１９】
処理モジュール520aは、第1の指示情報に基づいて第1のチャネルの電力制御方式を決定するように構成される。
【０１２０】
可能な設計では、処理モジュール520aは、さらに、第1のチャネルの電力制御方式に基づいて第1のチャネル上の信号の送信電力を決定するように構成される。
【０１２１】
トランシーバモジュール510aは、第1のチャネル上の信号の送信電力に基づいてネットワークデバイスに信号を送信するように構成される。
【０１２２】
可能な設計では、第1のパラメータは、
RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブル試行回数、電力ランピングステップ、パスロス推定比係数、信号送信の反復回数、および電力指示パラメータ
のうちの少なくとも1つを含む。
【０１２３】
可能な設計では、第2のパラメータは、
RSRP、パスロス、送信帯域幅パラメータ、端末デバイスの最大送信電力、プリアンブル受信ターゲット電力、プリアンブル初期受信ターゲット電力、初期送信電力、オフセット電力、プリアンブル試行回数、電力ランピングステップ、パスロス推定比係数、信号送信の反復回数、および電力指示パラメータ
のうちの少なくとも1つを含む。
【０１２４】
本出願のこの実施形態では、処理モジュール520aは、プロセッサによって実装されてもよく、トランシーバモジュール510aは、トランシーバによって実装されてもよいことに留意されたい。具体的には、トランシーバは、受信機と送信機とを含み、受信機は、信号またはデータを受信するように構成され、送信機は、信号またはデータを送信するように構成される。
【０１２５】
図5bに示すように、図5bは、本出願の一実施形態による、端末デバイス500bのハードウェアの概略構造図である。端末デバイス500bは、プロセッサ510b、トランシーバ520b、およびメモリ530bを含み得る。メモリ530bは、端末デバイス500bが工場から出荷されるときにプレインストールされたプログラム/コードを記憶するように構成されてもよく、プロセッサ55bによって実行されるコードを記憶してもよい。
【０１２６】
プロセッサ510bは、汎用CPU、マイクロプロセッサ、ASIC、または1つもしくは複数の集積回路であり得、本出願の実施形態で提供される技術的解決策を実装するために関連する操作を実行するように構成される。
【０１２７】
留意すべきは、図5bに示される端末デバイス500bについては、プロセッサ510b、トランシーバ520b、およびメモリ530bのみが示されているが、特定の実装プロセスにおいて、端末デバイス500bが通常の実行に必要な別のコンポーネントをさらに含むことを当業者は理解されたい。さらに、特定の要件に基づいて、端末デバイス500bが別の追加機能を実装するためのハードウェアコンポーネントをさらに含み得ることを、当業者は理解されたい。加えて、端末デバイス500bは本出願のこの実施形態を実施するのに必要なコンポーネントまたはモジュールのみを含み得るが、図5bに示すすべてのコンポーネントを含む必要はないことを、当業者は理解されたい。
【０１２８】
当業者は、上記の実施形態の方法を実施するためのすべてまたはいくつかの手順が、関連するハードウェアに命令するコンピュータプログラムによって実施され得ることを理解されよう。上記のプログラムは、コンピュータ可読記憶媒体に記憶されてもよく、プログラムが実行されると、上記の方法実施形態の手順が実施され得る。記憶媒体は、磁気ディスク、光ディスク、ROM、RAMなどであってもよい。
【０１２９】
図6は、本出願の一実施形態による通信システム600を示す。通信システム600は、図4aに示されるネットワークデバイス、および図5aに示される端末デバイスを含む。
【０１３０】
当業者であれば、本出願の実施形態が、方法、システム、またはコンピュータプログラム製品として提供され得ることを理解されたい。したがって、本出願の実施形態は、ハードウェアのみの実施形態、ソフトウェアのみの実施形態、またはソフトウェアとハードウェアの組合せを用いた実施形態の形を使用してもよい。さらに、本出願の実施形態は、コンピュータ使用可能プログラムコードを含む1つまたは複数のコンピュータ使用可能記憶媒体(限定はしないが、ディスクメモリ、CD-ROM、光メモリなどを含む)上に実装されるコンピュータプログラム製品の形態を使用することができる。
【０１３１】
本出願の実施形態は、本出願の実装形態による方法、デバイス(システム)、およびコンピュータプログラム製品のフローチャートおよび/またはブロック図を参照して説明される。フローチャートおよび/またはブロック図内の各プロセスおよび/または各ブロック、ならびにフローチャートおよび/またはブロック図内のプロセスおよび/またはブロックの組合せを実装するためにコンピュータプログラム命令が使用され得ることを理解されたい。これらのコンピュータプログラム命令は、汎用コンピュータ、専用コンピュータ、組込みプロセッサ、または別のプログラム可能データ処理デバイスのプロセッサに提供されてマシンを作成することができ、したがって、コンピュータまたは別のプログラム可能データ処理デバイスのプロセッサによって実行される命令は、フローチャート内の1つもしくは複数のプロセスおよび/またはブロック図内の1つもしくは複数のブロックにおいて特定の機能を実施するための装置を生成する。
【０１３２】
コンピュータ可読メモリに記憶された命令が命令装置を含むアーティファクトを生成するように、特定の方式で動作するよう、コンピュータまたは別のプログラム可能データ処理デバイスに命令することができるこれらのコンピュータプログラム命令が、コンピュータ可読メモリに記憶され得る。命令装置は、フローチャート内の1つもしくは複数のプロセス内および/またはブロック図内の1つもしくは複数のブロック内で特定の機能を実施する。
【０１３３】
これらのコンピュータプログラム命令は、コンピュータまたは別のプログラム可能データ処理デバイスにロードすることができ、したがって、コンピュータまたは別のプログラム可能デバイス上で一連の動作およびステップが実行され、それによってコンピュータ実施処理が生成される。したがって、コンピュータまたは別のプログラム可能デバイス上で実行される命令は、フローチャート中の1つもしくは複数のプロセスおよび/またはブロック図中の1つもしくは複数のブロックにおいて特定の機能を実施するためのステップを提供する。
【０１３４】
明らかに、当業者は、本出願の趣旨および範囲から逸脱することなく、本出願に様々な修正および変更を加えることができる。本出願は、以下の特許請求の範囲およびそれらの同等の技術によって定義される保護の範囲内にあるという条件で、本出願の修正および変更をカバーするものとする。
【符号の説明】
【０１３５】
400a  ネットワークデバイス
400b  ネットワークデバイス
410a  処理モジュール
410b  プロセッサ
420a  トランシーバモジュール
420b  トランシーバ
430b  メモリ
500a  端末デバイス
500b  端末デバイス
510a  トランシーバモジュール
510b  プロセッサ
520a  処理モジュール
520b  トランシーバ
530b  メモリ
600  通信システム
【図１】
2020520608.tif 000023
【図２】
2020520608.tif 000024
【図３】
2020520608.tif 000025
【図４ａ】
2020520608.tif 000026
【図４ｂ】
2020520608.tif 000027
【図５ａ】
2020520608.tif 000028
【図５ｂ】
2020520608.tif 000029
【図６】
2020520608.tif 000030
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
ネットワークデバイスによって、第1の指示情報を生成するステップと、
前記ネットワークデバイスによって、前記第1の指示情報を端末デバイスに送信するステップとを含み、
前記第1の指示情報が、第1のチャネルの電力制御方式を示すために使用され、前記第1のチャネルの前記電力制御方式が、電力制御方式セット内の1つの電力制御方式であり、前記電力制御方式セットが、以下の電力制御方式、すなわち、
前記第1のチャネル上の信号の送信電力が第1のパラメータに基づいて前記端末デバイスによって決定される、または
第1の送信フォーマットを満たし前記第1のチャネル上にある信号の送信電力が第2のパラメータに基づいて前記端末デバイスによって決定され、前記第1の送信フォーマットを満たさず前記第1のチャネル上にある信号の送信電力が前記端末デバイスによって決定され、前記第1の送信フォーマットを満たさず前記第1のチャネル上にある前記信号の前記送信電力が前記端末デバイスの最大送信電力である、または
前記第1のチャネル上の信号の送信電力が、前記端末デバイスにおいてあらかじめ定義されたルールに従って前記端末デバイスによって決定される
指示情報送信方法。
【請求項２】
前記ネットワークデバイスによって、前記第1のチャネルのものであり前記第1の指示情報によって示される前記電力制御方式に基づいて前記端末デバイスによって送信された信号を受信するステップ
をさらに含む、請求項1に記載の方法。
【請求項３】
前記第1の指示情報が、システム情報ブロック2-狭帯域(SIB2-NB)上で運ばれる、請求項1または2に記載の方法。
【請求項４】
前記第1のチャネル上の信号の送信電力が第1のパラメータに基づいて端末デバイスによって決定されることが、
前記第1のチャネルが狭帯域物理ランダムアクセスチャネル(NPRACH)であり、前記第1のパラメータがPLc、PCMAX,c(i)、およびPPRTを含み、前記NPRACH上の信号の送信電力PNPRACHが、
【数１】
2020520608.tif 000031
であり、式中、
PPRTは、プリアンブル受信ターゲット電力を表し、PCMAX,c(i)は、前記端末デバイスの前記最大送信電力を表し、セルc内のスロットiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルが狭帯域物理アップリンク共有チャネルNPUSCHであり、前記第1のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、
【数２】
2020520608.tif 000032
であり、式中、
PNPUSCH,c(i)は、タイムスロットi内の前記NPUSCH上の前記信号の前記送信電力を表し、PCMAX,c(i)は、前記端末デバイスの前記最大送信電力を表し、セルc内のスロットiで、前記物理アップリンク共有チャネル上で前記信号を送信するために前記端末デバイスによって使用される最大送信電力を表すために使用され、MNPUSCH,c(i)は、送信帯域幅パラメータを表し、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項1から3のいずれか一項に記載の方法。
【請求項５】
第1の送信フォーマットを満たし前記第1のチャネル上にある信号の送信電力が、第2のパラメータに基づいて端末デバイスによって決定されることが、
前記第1のチャネルがNPRACHであり、前記第2のパラメータがPLc、PCMAX,c(i)、およびPPRTを含み、前記NPRACH上の信号の送信電力PNPRACHが、
【数３】
2020520608.tif 000033
であり、式中、
PPRTは、プリアンブル受信ターゲット電力を表し、PCMAX,c(i)は、前記端末デバイスの前記最大送信電力を表し、セルc内のスロットiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルがNPUSCHであり、前記第2のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、
【数４】
2020520608.tif 000034
であり、式中、
PNPUSCH,c(i)は、タイムスロットi内の前記NPUSCH上の前記信号の前記送信電力を表し、PCMAX,c(i)は、前記端末デバイスの前記最大送信電力を表し、セルc内のスロットiで、前記物理アップリンク共有チャネル上で前記信号を送信するために前記端末デバイスによって使用される最大送信電力を表すために使用され、MNPUSCH,c(i)は、送信帯域幅パラメータを表し、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項1から4のいずれか一項に記載の方法。
【請求項６】
前記第1のチャネルがNPRACHであり、前記第1の送信フォーマットを満たし前記第1のチャネル上にある前記信号が、前記第1のチャネルにおいて、そのカバレージレベルが0の信号である、または
前記第1のチャネルがNPUSCHであり、前記第1の送信フォーマットを満たし前記第1のチャネル上にある前記信号が、前記第1のチャネルにおいて、反復送信回数が2以下の信号である
請求項1から5のいずれか一項に記載の方法。
【請求項７】
端末デバイスによって、ネットワークデバイスによって送信された第1の指示情報を受信するステップと、
前記端末デバイスによって、前記第1の指示情報に基づいて第1のチャネルの電力制御方式を決定するステップとを含み、
前記第1の指示情報が第1のチャネルの前記電力制御方式を示すために使用され、前記第1のチャネルの前記電力制御方式が電力制御方式セット内の1つの電力制御方式であり、前記電力制御方式セットが、以下の電力制御方式、すなわち、
前記第1のチャネル上の信号の送信電力が第1のパラメータに基づいて前記端末デバイスによって決定される、または
第1の送信フォーマットを満たし前記第1のチャネル上にある信号の送信電力が第2のパラメータに基づいて前記端末デバイスによって決定され、前記第1の送信フォーマットを満たさず前記第1のチャネル上にある信号の送信電力が前記端末デバイスによって決定され、前記第1の送信フォーマットを満たさず前記第1のチャネル上にある前記信号の前記送信電力が前記端末デバイスの最大送信電力である、または
前記第1のチャネル上の信号の送信電力が、前記端末デバイスにおいてあらかじめ定義されたルールに従って前記端末デバイスによって決定される
指示情報受信方法。
【請求項８】
前記端末デバイスによって、前記第1のチャネルの前記電力制御方式に基づいて、前記第1のチャネル上の前記信号の前記送信電力を決定するステップと、
前記端末デバイスによって、前記第1のチャネル上の前記信号の前記送信電力に基づいて前記ネットワークデバイスに信号を送信するステップと
をさらに含む、請求項7に記載の方法。
【請求項９】
前記第1の指示情報が、システム情報ブロック2-狭帯域(SIB2-NB)のRACH-ConfigCommon情報フィールドで運ばれる、請求項7または8に記載の方法。
【請求項１０】
前記第1のチャネル上の信号の送信電力が第1のパラメータに基づいて前記端末デバイスによって決定されることが、
前記第1のチャネルが狭帯域物理ランダムアクセスチャネル(NPRACH)であり、前記第1のパラメータがPLc、PCMAX,c(i)、およびPPRTを含み、前記NPRACH上の信号の送信電力PNPRACHが、
【数５】
2020520608.tif 000035
であり、式中、
PPRTは、プリアンブル受信ターゲット電力を表し、PCMAX,c(i)は、前記端末デバイスの前記最大送信電力を表し、セルc内のスロットiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルが狭帯域物理アップリンク共有チャネルNPUSCHであり、前記第1のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、
【数６】
2020520608.tif 000036
であり、式中、
PNPUSCH,c(i)は、タイムスロットi内の前記NPUSCH上の前記信号の前記送信電力を表し、PCMAX,c(i)は、前記端末デバイスの前記最大送信電力を表し、セルc内のスロットiで、前記物理アップリンク共有チャネル上で前記信号を送信するために前記端末デバイスによって使用される最大送信電力を表すために使用され、MNPUSCH,c(i)は、送信帯域幅パラメータを表し、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項7から9のいずれか一項に記載の方法。
【請求項１１】
第1の送信フォーマットを満たし前記第1のチャネル上にある信号の送信電力が、第2のパラメータに基づいて前記端末デバイスによって決定されることが、
前記第1のチャネルがNPRACHであり、前記第2のパラメータがPLc、PCMAX,c(i)、およびPPRTを含み、前記NPRACH上の信号の送信電力PNPRACHが、
【数７】
2020520608.tif 000037
であり、式中、
PPRTは、プリアンブル受信ターゲット電力を表し、PCMAX,c(i)は、前記端末デバイスの前記最大送信電力を表し、セルc内のスロットiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルがNPUSCHであり、前記第2のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、
【数８】
2020520608.tif 000038
であり、式中、
PNPUSCH,c(i)は、タイムスロットi内の前記NPUSCH上の前記信号の前記送信電力を表し、PCMAX,c(i)は、前記端末デバイスの前記最大送信電力を表し、セルc内のスロットiで、前記物理アップリンク共有チャネル上で前記信号を送信するために前記端末デバイスによって使用される最大送信電力を表すために使用され、MNPUSCH,c(i)は、送信帯域幅パラメータを表し、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項7から10のいずれか一項に記載の方法。
【請求項１２】
前記第1のチャネルがNPRACHであり、前記第1の送信フォーマットを満たし前記第1のチャネル上にある前記信号が、前記第1のチャネルにおいて、そのカバレージレベルが0の信号である、または
前記第1のチャネルがNPUSCHであり、前記第1の送信フォーマットを満たし前記第1のチャネル上にある前記信号が、前記第1のチャネルにおいて、反復送信回数が2以下の信号である
請求項7から11のいずれか一項に記載の方法。
【請求項１３】
第1の指示情報を生成するように構成されたプロセッサと、
前記第1の指示情報を端末デバイスに送信するように構成されたトランシーバとを備え、
前記第1の指示情報が、第1のチャネルの電力制御方式を示すために使用され、前記第1のチャネルの前記電力制御方式が、電力制御方式セット内の1つの電力制御方式であり、前記電力制御方式セットが、以下の電力制御方式、すなわち、
前記第1のチャネル上の信号の送信電力が第1のパラメータに基づいて前記端末デバイスによって決定される、
第1の送信フォーマットを満たし前記第1のチャネル上にある信号の送信電力が第2のパラメータに基づいて前記端末デバイスによって決定され、前記第1の送信フォーマットを満たさず前記第1のチャネル上にある信号の送信電力が前記端末デバイスによって決定され、前記第1の送信フォーマットを満たさず前記第1のチャネル上にある前記信号の前記送信電力が前記端末デバイスの最大送信電力である、または
前記第1のチャネル上の信号の送信電力が、前記端末デバイスにおいてあらかじめ定義されたルールに従って前記端末デバイスによって決定される
のうちの少なくとも1つを含む、
ネットワークデバイス。
【請求項１４】
前記トランシーバが、前記第1のチャネルのものであり前記第1の指示情報によって示される前記電力制御方式に基づいて、前記端末デバイスによって送信された信号を受信するようにさらに構成される、請求項13に記載のネットワークデバイス。
【請求項１５】
前記第1の指示情報が、システム情報ブロック2-狭帯域(SIB2-NB)で運ばれる、請求項13または14に記載のネットワークデバイス。
【請求項１６】
前記第1のチャネル上の信号の送信電力が第1のパラメータに基づいて端末デバイスによって決定されることが、
前記第1のチャネルが狭帯域物理ランダムアクセスチャネル(NPRACH)であり、前記第1のパラメータがPLc、PCMAX,c(i)、およびPPRTを含み、前記NPRACH上の信号の送信電力PNPRACHが、
【数９】
2020520608.tif 000039
であり、式中、
PPRTは、プリアンブル受信ターゲット電力を表し、PCMAX,c(i)は、前記端末デバイスの前記最大送信電力を表し、セルc内のスロットiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルが狭帯域物理アップリンク共有チャネルNPUSCHであり、前記第1のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、
【数１０】
2020520608.tif 000040
であり、式中、
PNPUSCH,c(i)は、タイムスロットi内の前記NPUSCH上の前記信号の前記送信電力を表し、PCMAX,c(i)は、前記端末デバイスの前記最大送信電力を表し、セルc内のスロットiで、前記物理アップリンク共有チャネル上で前記信号を送信するために前記端末デバイスによって使用される最大送信電力を表すために使用され、MNPUSCH,c(i)は、送信帯域幅パラメータを表し、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項13から15のいずれか一項に記載のネットワークデバイス。
【請求項１７】
第1の送信フォーマットを満たし前記第1のチャネル上にある信号の送信電力が、第2のパラメータに基づいて前記端末デバイスによって決定されることが、
前記第1のチャネルがNPRACHであり、前記第2のパラメータがPLc、PCMAX,c(i)、およびPPRTを含み、前記NPRACH上の信号の送信電力PNPRACHが、
【数１１】
2020520608.tif 000041
であり、式中、
PPRTは、プリアンブル受信ターゲット電力を表し、PCMAX,c(i)は、前記端末デバイスの前記最大送信電力を表し、セルc内のスロットiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルがNPUSCHであり、前記第2のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、
【数１２】
2020520608.tif 000042
であり、式中、
PNPUSCH,c(i)は、タイムスロットi内の前記NPUSCH上の前記信号の前記送信電力を表し、PCMAX,c(i)は、前記端末デバイスの前記最大送信電力を表し、セルc内のスロットiで、前記物理アップリンク共有チャネル上で前記信号を送信するために前記端末デバイスによって使用される最大送信電力を表すために使用され、MNPUSCH,c(i)は、送信帯域幅パラメータを表し、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項13から15のいずれか一項に記載のネットワークデバイス。
【請求項１８】
前記第1のチャネルがNPRACHであり、前記第1の送信フォーマットを満たし前記第1のチャネル上にある前記信号が、前記第1のチャネルにおいて、そのカバレージレベルが0の信号である、または
前記第1のチャネルがNPUSCHであり、前記第1の送信フォーマットを満たし前記第1のチャネル上にある前記信号が、前記第1のチャネルにおいて、反復送信回数が2以下の信号である
請求項13から17のいずれか一項に記載のネットワークデバイス。
【請求項１９】
ネットワークデバイスによって送信された第1の指示情報を受信するように構成されたトランシーバと、
前記第1の指示情報に基づいて第1のチャネルの電力制御方式を決定するように構成されたプロセッサとを備え、
前記第1の指示情報が、第1のチャネルの電力制御方式を示すために使用され、前記第1のチャネルの前記電力制御方式が、電力制御方式セット内の1つの電力制御方式であり、前記電力制御方式セットが、以下の電力制御方式、すなわち、
前記第1のチャネル上の信号の送信電力が第1のパラメータに基づいて端末デバイスによって決定される、または
第1の送信フォーマットを満たし前記第1のチャネル上にある信号の送信電力が第2のパラメータに基づいて前記端末デバイスによって決定され、前記第1の送信フォーマットを満たさず前記第1のチャネル上にある信号の送信電力が前記端末デバイスによって決定され、前記第1の送信フォーマットを満たさず前記第1のチャネル上にある前記信号の前記送信電力が前記端末デバイスの最大送信電力である、または
前記第1のチャネル上の信号の送信電力が、前記端末デバイスにおいてあらかじめ定義されたルールに従って前記端末デバイスによって決定される
のうちの少なくとも1つを含む、
端末デバイス。
【請求項２０】
前記プロセッサが、さらに、前記第1のチャネルの前記電力制御方式に基づいて前記第1のチャネル上の前記信号の前記送信電力を決定するように構成され、
前記トランシーバが、さらに、前記第1のチャネル上の前記信号の前記送信電力に基づいて前記ネットワークデバイスに信号を送信するように構成される、
請求項19に記載の端末デバイス。
【請求項２１】
前記第1の指示情報が、システム情報ブロック2-狭帯域(SIB2-NB)で運ばれる、
請求項19または20に記載の端末デバイス。
【請求項２２】
前記第1のチャネル上の信号の送信電力が第1のパラメータに基づいて前記端末デバイスによって決定されることが、
前記第1のチャネルが狭帯域物理ランダムアクセスチャネル(NPRACH)であり、前記第1のパラメータがPLc、PCMAX,c(i)、およびPPRTを含み、前記NPRACH上の信号の送信電力PNPRACHが、
【数１３】
2020520608.tif 000043
であり、式中、
PPRTは、プリアンブル受信ターゲット電力を表し、PCMAX,c(i)は、前記端末デバイスの前記最大送信電力を表し、セルc内のスロットiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルが狭帯域物理アップリンク共有チャネルNPUSCHであり、前記第1のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、
【数１４】
2020520608.tif 000044
であり、式中、
PNPUSCH,c(i)は、タイムスロットi内の前記NPUSCH上の前記信号の前記送信電力を表し、PCMAX,c(i)は、前記端末デバイスの前記最大送信電力を表し、セルc内のスロットiで、前記物理アップリンク共有チャネル上で前記信号を送信するために前記端末デバイスによって使用される最大送信電力を表すために使用され、MNPUSCH,c(i)は、送信帯域幅パラメータを表し、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項19から21のいずれか一項に記載の端末デバイス。
【請求項２３】
第1の送信フォーマットを満たし前記第1のチャネル上にある信号の送信電力が、第2のパラメータに基づいて前記端末デバイスによって決定されることが、
前記第1のチャネルがNPRACHであり、前記第2のパラメータがPLc、PCMAX,c(i)、およびPPRTを含み、前記NPRACH上の信号の送信電力PNPRACHが、
【数１５】
2020520608.tif 000045
であり、式中、
PPRTは、プリアンブル受信ターゲット電力を表し、PCMAX,c(i)は、前記端末デバイスの前記最大送信電力を表し、セルc内のスロットiで、前記物理ランダムアクセスチャネル上で前記信号を送信するために前記端末デバイスによって使用される最大送信電力を表すために使用され、PLcは、前記セルcのものであり前記端末デバイスによって測定されるダウンリンクパスロスを表す、または
前記第1のチャネルがNPUSCHであり、前記第2のパラメータがPCMAX,c(i)、MNPUSCH,c(i)、PO_NPUSCH,c(j)、αc(j)、およびPLcを含み、前記NPUSCH上の信号の送信電力PNPUSCH,c(i)が、
【数１６】
2020520608.tif 000046
であり、式中、
PNPUSCH,c(i)は、タイムスロットi内の前記NPUSCH上の前記信号の前記送信電力を表し、PCMAX,c(i)は、前記端末デバイスの前記最大送信電力を表し、セルc内のスロットiで、前記物理アップリンク共有チャネル上で前記信号を送信するために前記端末デバイスによって使用される最大送信電力を表すために使用され、MNPUSCH,c(i)は、送信帯域幅パラメータを表し、前記タイムスロットi内の前記物理アップリンク共有チャネル上の前記信号の帯域幅係数を表すために使用され、PO_NPUSCH,c(j)は、j=1のとき、動的にスケジュールされたNPUSCHの初期送信電力を表し、またはj=2のとき、ランダムアクセスプロセスでのメッセージ3の初期送信電力を表すために使用され、αc(j)は、パスロス推定率を表し、j=1のとき、前記動的にスケジュールされたNPUSCHのパスロス推定比係数を表し、または、j=2のとき、前記ランダムアクセスプロセスでの前記メッセージ3のパスロス推定比係数を表すために使用され、PLcは、前記セルcのものであり前記端末デバイスによって測定されるダウンリンクパスロスを表す、
ことを含む、請求項19から22のいずれか一項に記載の端末デバイス。
【請求項２４】
前記第1のチャネルがNPRACHであり、前記第1の送信フォーマットを満たし前記第1のチャネル上にある前記信号が、前記第1のチャネルにおいて、そのカバレージレベルが0の信号である、または
前記第1のチャネルがNPUSCHであり、前記第1の送信フォーマットを満たし前記第1のチャネル上にある前記信号が、前記第1のチャネルにおいて、反復送信回数が2以下の信号である
請求項19から23のいずれか一項に記載の端末デバイス。
【請求項２５】
請求項13から18のいずれか一項に記載の前記ネットワークデバイス、および請求項19から24のいずれか一項に記載の前記端末デバイスを含む通信システム。
【請求項２６】
プロセッサと、メモリと、通信インターフェースとを備える通信デバイスであって、前記プロセッサが、前記メモリおよび前記通信インターフェースに接続され、
前記メモリが、命令を記憶するように構成され、
前記プロセッサが、前記命令を実行するように構成され、
前記通信インターフェースが、前記プロセッサの制御下で別のネットワーク要素と通信するように構成され、
前記プロセッサが、前記メモリに記憶された前記命令を実行するとき、前記実行によって、前記プロセッサは、請求項1から6、または請求項7から12のいずれか一項に記載の方法を実行することができる
通信デバイス。
【請求項２７】
コンピュータ可読記憶媒体であって、前記可読記憶媒体が、コンピュータ命令を記憶し、前記命令が、コンピュータ上で実行されると、前記コンピュータは、請求項1から6、または請求項7から12のいずれか一項に記載の方法を実行することができる、コンピュータ可読記憶媒体。
【国際調査報告】
2020520608.tif 000047
2020520608.tif 000048
2020520608.tif 000049
2020520608.tif 000050